(57)【特許請求の範囲】
【請求項１】
静止画像及び動画像を表示する表示パネルと、
前記表示パネルを駆動するための信号を制御する信号制御部と、
入力映像データを前記信号制御部に伝送するグラフィック処理装置と、
を備え、
前記信号制御部は、前記入力映像データを保存するフレームメモリを備え、
前記表示パネルは、
前記動画像を表示するときに第１の周波数にて駆動され、
前記静止画像を表示するときに前記第１の周波数よりも低い第２の周波数にて駆動され、
前記グラフィック処理装置は、静止画像開始信号及び静止画像終了信号を前記信号制御部に伝送し、
前記第２の周波数にて駆動されるときの垂直ブランク区間の長さは、前記第１の周波数にて駆動されるときの垂直ブランク区間の長さよりも長く、
前記静止画像開始信号が印加されてからＳ１フレーム中に、前記表示パネルは、前記第２の周波数よりも高くて前記第１の周波数よりも低い周波数にて駆動され、
前記静止画像終了信号が印加されてからＳ２フレーム中に、前記表示パネルは、前記第２の周波数よりも高くて前記第１の周波数よりも低い周波数にて駆動され、
前記Ｓ１フレーム中に、垂直ブランク区間の長さは次第に長くなり、
前記Ｓ２フレーム中に、垂直ブランク区間の長さは次第に短くなることを特徴とする表示装置。
【請求項２】
静止画像及び動画像を表示する表示パネルと、
前記表示パネルを駆動するための信号を制御する信号制御部と、
入力映像データを前記信号制御部に伝送するグラフィック処理装置と、
を備え、
前記信号制御部は、前記入力映像データを保存するフレームメモリを備え、
前記表示パネルは、
前記動画像を表示するときに第１の周波数にて駆動され、
前記静止画像を表示するときに前記第１の周波数よりも低い第２の周波数にて駆動され、
前記グラフィック処理装置は、静止画像開始信号及び静止画像終了信号を前記信号制御部に伝送し、
前記表示パネルは、前記静止画像終了信号の印加されたフレームが終了するまで前記第２の周波数にて駆動され、
前記表示パネルはゲート線及びデータ線を備え、
前記ゲート線を駆動するゲート駆動部と、
前記データ線を駆動するデータ駆動部と、
をさらに備え、
前記信号制御部は、前記ゲート駆動部にＳＴＶ信号及びＣＰＶ信号を伝送し、
前記信号制御部は、前記第２の周波数から前記第１の周波数へと変更される地点を除いて、１フレームの開始地点において前記ゲート駆動部にＳＴＶ信号を伝送することを特徴とする表示装置。
【請求項３】
前記信号制御部は、
前記表示パネルが前記第１の周波数にて駆動されるときに前記ＣＰＶ信号の幅がｐ回のクロック信号と等しい幅を有し、
前記表示パネルが前記第２の周波数にて駆動されるときに前記ＣＰＶ信号の幅が前記ｐよりも少ないｑ回のクロック信号と等しい幅を有するように制御することを特徴とする請求項２に記載の表示装置。
【請求項４】
前記信号制御部は、
前記表示パネルが前記第２の周波数にて駆動されるときに前記映像データをガンマ補正し、補正された映像データを前記表示パネルに伝送することを特徴とする請求項２または３に記載の表示装置。
【請求項５】
静止画像及び動画像を表示する表示パネルと、
前記表示パネルを駆動するための信号を制御する信号制御部と、
入力映像データを前記信号制御部に伝送するグラフィック処理装置と、
を備え、
前記信号制御部は、前記入力映像データを保存するフレームメモリを備え、
前記表示パネルは、
前記動画像を表示するときに第１の周波数にて駆動され、
前記静止画像を表示するときに前記第１の周波数よりも低い第２の周波数にて駆動され、
前記グラフィック処理装置は、静止画像開始信号及び静止画像終了信号を前記信号制御部に伝送し、
前記表示パネルに光を照射する光源部と、
前記光源部を駆動するための信号を制御する光源駆動部と、
をさらに備え、
前記光源駆動部は、
前記表示パネルが第１の周波数にて駆動されるときに前記光源部を第１の比率にて駆動し、
前記表示パネルが第２の周波数にて駆動されるときに前記光源部を第２の比率にて駆動し、
前記表示パネルがノーマリーブラックモードであるときに前記第２の比率は前記第１の比率よりも低い値を有し、
前記表示パネルがノーマリーホワイトモードであるときに前記第２の比率は前記第１の比率よりも高い値を有することを特徴とする表示装置。
【請求項６】
前記信号制御部は、
前記グラフィック処理装置から前記入力映像データを受信する信号受信部と、
前記静止画像を表示するときに前記第１の周波数を選択し、前記動画像を表示するときに前記第２の周波数を選択する駆動周波数選択部と、
をさらに備え、
前記光源駆動部は、
前記信号制御部から前記表示パネルの駆動周波数を受信する駆動周波数受信部と、
前記駆動周波数により前記光源部の駆動率を決定する光源部駆動率選択部と、
前記光源部の駆動率に応じて前記光源を駆動する信号を生成する光源駆動信号生成部と、
を備えることを特徴とする請求項５に記載の表示装置。
【請求項７】
静止画像及び動画像を表示する表示パネルと、
前記表示パネルを駆動するための信号を制御する信号制御部と、
入力映像データを前記信号制御部に伝送するグラフィック処理装置と、
を備え、
前記信号制御部は、前記入力映像データを保存するフレームメモリを備え、
前記表示パネルは、
前記動画像を表示するときに第１の周波数にて駆動され、
前記静止画像を表示するときに前記第１の周波数よりも低い第２の周波数にて駆動され、
前記グラフィック処理装置は、静止画像開始信号及び静止画像終了信号を前記信号制御部に伝送し、
前記表示パネルはノーマリーブラックモードであり、
前記光源駆動部は、
前記表示パネルが前記第１の周波数にて駆動されるときに前記光源部を第１の比率にて駆動し、
前記表示パネルが前記第２の周波数にて駆動されるときに前記光源部を第１の比率及び前記第１の比率から次第に低くなる比率にて駆動することを特徴とする表示装置。
【請求項８】
前記表示パネルはゲート線及びデータ線を備え、
前記ゲート線を駆動するゲート駆動部と、
前記データ線を駆動するデータ駆動部と、
をさらに備え、
前記信号制御部は、毎フレームの開始地点において前記ゲート駆動部にＳＴＶ信号を伝送し、
前記光源駆動部は、
前記表示パネルが前記第２の周波数にて駆動されるときに、
前記ＳＴＶ信号が伝送される地点において前記光源部を第１の比率にて駆動し、
次のＳＴＶ信号が伝送されるまで前記光源部を前記第１の比率から次第に低くなる比率にて駆動し、
前記表示パネルが前記第１の周波数にて駆動されるときの前記ＳＴＶ信号の伝送周期は、前記表示パネルが前記第２の周波数にて駆動されるときの前記光源部の駆動比率の変化周期と等しいことを特徴とする請求項７に記載の表示装置。
【請求項９】
静止画像及び動画像を表示する表示パネルと、
前記表示パネルを駆動するための信号を制御する信号制御部と、
入力映像データを前記信号制御部に伝送するグラフィック処理装置と、
を備え、
前記信号制御部は、前記入力映像データを保存するフレームメモリを備え、
前記表示パネルは、
前記動画像を表示するときに第１の周波数にて駆動され、
前記静止画像を表示するときに前記第１の周波数よりも低い第２の周波数にて駆動され、
前記グラフィック処理装置は、静止画像開始信号及び静止画像終了信号を前記信号制御部に伝送し、
前記表示パネルは、
基板と、
前記基板の上に形成されるゲート線、データ線及び維持電極線と、
前記ゲート線及び前記データ線に接続される第１のスイッチング素子と、
前記第１のスイッチング素子及び前記維持電極線に接続される維持キャパシタと、
を備え、
前記表示パネルが前記第１の周波数にて駆動されるときに前記維持電極線に入力される共通電圧は一定の値を有し、
前記表示パネルが前記第２の周波数にて駆動されるときに前記共通電圧は経時的に変化する値を有し、
前記表示パネルは、
前記維持電極線と前記維持キャパシタとの間に形成される第２のスイッチング素子及び第３のスイッチング素子と、
前記基板の上に形成される維持電極制御線と、
をさらに備え、
前記第２のスイッチング素子及び前記第３のスイッチング素子はそれぞれ制御端子、入力端子、出力端子を備え、
前記第２のスイッチング素子及び前記第３のスイッチング素子の入力端子は前記維持電極線に接続され、  前記第２のスイッチング素子及び前記第３のスイッチング素子の出力端子は前記維持キャパシタに接続され、
前記第２のスイッチング素子の制御端子は前記ゲート線に接続され、
前記第３のスイッチング素子の制御端子は前記維持電極制御線に接続され、
前記共通電圧は前記表示パネルが前記第２の周波数にて駆動されるときに、
第１の区間において第１の電圧を有し、
第２の区間において前記第１の電圧よりも高い第２の電圧を有することを特徴とする表示装置。
【請求項１０】
１フレームは、映像データが伝送される有効区間と、映像データが伝送されない垂直ブランク区間と、からなり、
前記第１の区間は前記有効区間であり、
前記第２の区間は前記垂直ブランク区間であり、
前記維持電極制御線に入力される制御電圧は、
前記第１の区間においてゲートオフ電圧を有し、
前記第２の区間においてゲートオン電圧を有することを特徴とする請求項９に記載の表示装置。
【請求項１１】
前記共通電圧は、前記表示パネルが前記第２の周波数にて駆動されるときに、
第３の区間において前記第２の電圧よりも高い第３の電圧を有し、
１フレームは、映像データが伝送される有効区間と、映像データが伝送されない垂直ブランク区間と、からなり、
前記第１の区間は前記有効区間であり、
前記第２の区間は前記垂直ブランク区間の一部であり、
前記第３の区間は前記垂直ブランク区間の残りの一部であることを特徴とする請求項９に記載の表示装置。
【請求項１２】
前記共通電圧は、前記表示パネルが前記第２の周波数にて駆動されるときに、
第１の区間において第１の電圧を有し、
第２の区間において前記第１の電圧及び前記第１の電圧よりも高い第２の電圧にてスイングすることを特徴とする請求項９に記載の表示装置。
【請求項１３】
静止画像及び動画像を表示する表示パネルと、
前記表示パネルを駆動するための信号を制御する信号制御部と、
入力映像データを前記信号制御部に伝送するグラフィック処理装置と、
を備え、
前記信号制御部は、前記入力映像データを保存するフレームメモリを備え、
前記表示パネルは、
前記動画像を表示するときに第１の周波数にて駆動され、
前記静止画像を表示するときに前記第１の周波数よりも低い第２の周波数にて駆動され、
前記グラフィック処理装置は、静止画像開始信号及び静止画像終了信号を前記信号制御部に伝送し、
前記ゲート線を駆動するゲート駆動部と、
前記データ線を駆動するデータ駆動部と、
をさらに備え、
前記信号制御部は、
前記フレームメモリに保存された保存映像データの代表値を算出する演算部と、
前記代表値を保存するラインメモリと、
前記代表値をキックバック電圧に応じて補正して補助映像データを生成するキックバック補正部と、
を備え、
前記データ駆動部は、前記静止画像を表示するときに垂直ブランク区間において前記補助映像データに対応する補助電圧を前記データ線に印加し、
前記データ線は複数からなり、
前記演算部は、前記データ線別に前記保存映像データの代表値を算出することを特徴とする表示装置。
【請求項１４】
前記代表値は、前記保存映像データの平均階調値、前記保存映像データの上位ｔビットの平均階調値、あるいは、前記保存映像データの最大階調値及び最小階調値の中間値であることを特徴とする請求項１３に記載の表示装置。
【請求項１５】
前記補助映像データは、
Ｇａ＝Ｇｒ−ｄＧ（Ｇａ：前記補助映像データの階調値、Ｇｒ：前記代表値、ｄＧ：前記代表値によるキックバック補償階調値）
によって生成され、
前記キックバック補償階調値は、ルックアップテーブルの形式で保存されているか、あるいは、関数によって計算される値であり、
前記キックバック補償階調値が関数によって計算される値であるときに、
前記関数は、
最小階調におけるキックバック補償階調値、最大階調におけるキックバック補償階調値及びキックバック補償階調値の大きさが最大であるときの階調値を用いて、線形補間法によって作成されることを特徴とする請求項１３に記載の表示装置。
【請求項１６】
静止画像及び動画像を表示する表示パネルと、
前記表示パネルを駆動するための信号を制御する信号制御部と、
入力映像データを前記信号制御部に伝送するグラフィック処理装置と、
を備え、
前記信号制御部は、前記入力映像データを保存するフレームメモリを備え、
前記表示パネルは、
前記動画像を表示するときに第１の周波数にて駆動され、
前記静止画像を表示するときに前記第１の周波数よりも低い第２の周波数にて駆動され、
前記グラフィック処理装置は、静止画像開始信号及び静止画像終了信号を前記信号制御部に伝送し、
前記表示パネルは、
ゲート線及びデータ線と、
前記ゲート線に制御端子が接続され、前記データ線に入力端子が接続されるスイッチング素子と、
前記スイッチング素子の出力端子に接続される画素電極と、
を備え、
前記ゲート線にはゲートオン電圧及びゲートオフ電圧を含むゲート信号が印加され、
前記表示パネルが前記第２の周波数にて駆動されるときの前記ゲートオフ電圧は、
Ｖａ−０．２┃Ｖａ┃≦Ｖｏｆｆ２≦Ｖａ+０．２┃Ｖａ┃
（Ｖｏｆｆ２：前記表示パネルが前記第２の周波数にて駆動されるときの前記ゲートオフ電圧、Ｖａ：前記画素電極に正極性の画素電圧が印加されたときに前記スイッチング素子の前記入力端子と前記出力端子との間に流れる漏れ電流と、前記画素電極に負極性の画素電圧が印加されたときに前記スイッチング素子の前記入力端子と前記出力端子との間に流れる漏れ電流とが等しいときの前記スイッチング素子の前記制御端子の電圧）
の範囲を有することを特徴とする表示装置。
【請求項１７】
前記表示パネルが前記第１の周波数にて駆動されるときの前記ゲートオフ電圧は、
Ｖａ−０．２┃Ｖａ┃≦Ｖｏｆｆ１≦Ｖａ+０．２┃Ｖａ┃
（Ｖｏｆｆ１：前記表示パネルが前記第１の周波数にて駆動されるときの前記ゲートオフ電圧、Ｖａ：前記画素電極に正極性の画素電圧が印加されたときに前記スイッチング素子の前記入力端子と前記出力端子との間に流れる漏れ電流と、前記画素電極に負極性の画素電圧が印加されたときに前記スイッチング素子の前記入力端子と前記出力端子との間に流れる漏れ電流とが等しいときの前記スイッチング素子の前記制御端子の電圧）
の範囲を有することを特徴とする請求項１６に記載の表示装置。
【請求項１８】
動画像及び静止画像を表示する表示パネル及び前記表示パネルを駆動するための信号を制御する信号制御部を備える表示装置を駆動する方法において、
入力映像データを伝送し、表示パネルを第１の周波数にて駆動し、
静止画像開始信号を印加し、
前記表示パネルの駆動周波数を前記第１の周波数よりも低い第２の周波数に変更し、
静止画像終了信号を印加し、
前記表示パネルの駆動周波数を前記第１の周波数に変更し、
前記第２の周波数にて駆動されるときの垂直ブランク区間の長さは、前記第１の周波数にて駆動されるときの垂直ブランク区間の長さよりも長く、
前記静止画像開始信号が印加されてからＳ１フレーム中に、前記表示パネルを前記第２の周波数よりも高くて前記第１の周波数よりも低い周波数にて駆動し、
前記静止画像終了信号が印加されてからＳ２フレーム中に、前記表示パネルを前記第２の周波数よりも高くて前記第１の周波数よりも低い周波数にて駆動し、
前記Ｓ１フレーム中に、垂直ブランク区間の長さは次第に長くなり、
前記Ｓ２フレーム中に、垂直ブランク区間の長さは次第に短くなることを特徴とする表示装置の駆動方法。
【請求項１９】
動画像及び静止画像を表示する表示パネル及び前記表示パネルを駆動するための信号を制御する信号制御部を備える表示装置を駆動する方法において、
入力映像データを伝送し、表示パネルを第１の周波数にて駆動し、
静止画像開始信号を印加し、
前記表示パネルの駆動周波数を前記第１の周波数よりも低い第２の周波数に変更し、
静止画像終了信号を印加し、
前記表示パネルの駆動周波数を前記第１の周波数に変更し、
前記静止画像終了信号の印加されたフレームが終了するまで前記表示パネルを前記第２の周波数にて駆動し、
前記静止画像終了信号が印加されたフレームの次のフレームが開始される前記表示パネルの駆動周波数を前記第１の周波数に変更し、
前記表示パネルはゲート線及びデータ線を備え、
前記ゲート線を駆動するゲート駆動部と、
前記データ線を駆動するデータ駆動部と、
をさらに備え、
前記信号制御部は、前記ゲート駆動部にＳＴＶ信号及びＣＰＶ信号を伝送し、
前記信号制御部は、前記第２の周波数から前記第１の周波数へと変更される地点を除いて、毎フレームの開始地点において前記ゲート駆動部にＳＴＶ信号を伝送することを特徴とする表示装置の駆動方法。
【請求項２０】
前記信号制御部は、
前記表示パネルが前記第１の周波数にて駆動されるときに前記ＣＰＶ信号の幅がｐ回のクロック信号と等しい幅を有し、
前記表示パネルが前記第２の周波数にて駆動されるときに前記ＣＰＶ信号の幅が前記ｐよりも少ないｑ回のクロック信号と等しい幅を有するように制御することを特徴とする請求項１９に記載の表示装置の駆動方法。
【請求項２１】
前記信号制御部は、
前記表示パネルが前記第２の周波数にて駆動されるときに前記映像データをガンマ補正し、補正された映像データを前記表示パネルに伝送することを特徴とする請求項１９に記載の表示装置の駆動方法。
【請求項２２】
動画像及び静止画像を表示する表示パネル及び前記表示パネルを駆動するための信号を制御する信号制御部を備える表示装置を駆動する方法において、
入力映像データを伝送し、表示パネルを第１の周波数にて駆動し、
静止画像開始信号を印加し、
前記表示パネルの駆動周波数を前記第１の周波数よりも低い第２の周波数に変更し、
静止画像終了信号を印加し、
前記表示パネルの駆動周波数を前記第１の周波数に変更し、
前記表示装置は、光源部をさらに備え、
前記表示パネルを第１の周波数にて駆動するときに前記光源部を第１の比率にて駆動し、
前記表示パネルを第２の周波数にて駆動するときに前記光源部を第２の比率にて駆動し、
前記表示パネルがノーマリーブラックモードであるときに前記第２の比率は前記第１の比率よりも低い値を有し、
前記表示パネルがノーマリーホワイトモードであるときに前記第２の比率は前記第１の比率よりも高い値を有することを特徴とする表示装置の駆動方法。
【請求項２３】
前記表示パネルの駆動周波数による前記光源部の駆動比率の選択は、ルックアップテーブルまたは関数を用いて行われ、
前記表示パネルの駆動周波数及び前記光源部の駆動比率の切り替えは垂直ブランク区間において行われることを特徴とする請求項２２に記載の表示装置の駆動方法。
【請求項２４】
動画像及び静止画像を表示する表示パネル及び前記表示パネルを駆動するための信号を制御する信号制御部を備える表示装置を駆動する方法において、
入力映像データを伝送し、表示パネルを第１の周波数にて駆動し、
静止画像開始信号を印加し、
前記表示パネルの駆動周波数を前記第１の周波数よりも低い第２の周波数に変更し、
静止画像終了信号を印加し、
前記表示パネルの駆動周波数を前記第１の周波数に変更し、
前記表示パネルはノーマリーブラックモードであり、
前記表示装置は、光源部をさらに備え、
前記表示パネルを前記第１の周波数にて駆動するときに前記光源部を第１の比率にて駆動し、
前記表示パネルを前記第２の周波数にて駆動するときに前記光源部を第１の比率及び前記第１の比率から次第に低くなる比率にて駆動することを特徴とする表示装置の駆動方法。
【請求項２５】
前記表示パネルはゲート線及びデータ線を備え、
前記表示装置は、
前記ゲート線を駆動するゲート駆動部と、
前記データ線を駆動するデータ駆動部と、
をさらに備え、
前記信号制御部は毎フレームの開始地点において前記ゲート駆動部にＳＴＶ信号を伝送し、
前記表示パネルを前記第２の周波数にて駆動するときに、
前記ＳＴＶ信号を伝送する地点において前記光源部を第１の比率にて駆動し、  次のＳＴＶ信号を伝送するまで前記光源部を前記第１の比率から次第に低くなる比率にて駆動し、
前記表示パネルを前記第１の周波数にて駆動するときの前記ＳＴＶ信号の伝送周期は、前記表示パネルを前記第２の周波数にて駆動するときの前記光源部の駆動比率の変化周期と等しいことを特徴とする請求項２４に記載の表示装置の駆動方法。
【請求項２６】
動画像及び静止画像を表示する表示パネル及び前記表示パネルを駆動するための信号を制御する信号制御部を備える表示装置を駆動する方法において、
入力映像データを伝送し、表示パネルを第１の周波数にて駆動し、
静止画像開始信号を印加し、
前記表示パネルの駆動周波数を前記第１の周波数よりも低い第２の周波数に変更し、
静止画像終了信号を印加し、
前記表示パネルの駆動周波数を前記第１の周波数に変更し、
前記表示パネルを前記第１の周波数にて駆動するときに、
前記信号制御部は一定の値を有する共通電圧を表示パネルに印加し、
前記表示パネルを前記第２の周波数にて駆動するときに、
前記信号制御部は可変値を有する共通電圧を表示パネルに印加し、
前記表示パネルを前記第２の周波数にて駆動するときに、
前記信号制御部は、
第１の区間において第１の電圧を有し、
第２の区間において前記第１の電圧よりも高い第２の電圧を有する共通電圧を印加することを特徴とする表示装置の駆動方法。
【請求項２７】
１フレームは、映像データが伝送される有効区間と、映像データが伝送されない垂直ブランク区間と、からなり、
前記第１の区間は前記有効区間であり、
前記第２の区間は前記垂直ブランク区間であることを特徴とする請求項２６に記載の表示装置の駆動方法。
【請求項２８】
前記表示パネルを前記第２の周波数にて駆動するときに、
前記信号制御部は、
第３の区間において前記第２の電圧よりも高い第３の電圧を有する共通電圧を表示パネルに印加し、
１フレームは、映像データが伝送される有効区間と、映像データが伝送されない垂直ブランク区間と、からなり、
前記第１の区間は前記有効区間であり、
前記第２の区間は前記垂直ブランク区間の一部であり、
前記第３の区間は前記垂直ブランク区間の残りの一部であることを特徴とする請求項２６に記載の表示装置の駆動方法。
【請求項２９】
動画像及び静止画像を表示する表示パネル及び前記表示パネルを駆動するための信号を制御する信号制御部を備える表示装置を駆動する方法において、
入力映像データを伝送し、表示パネルを第１の周波数にて駆動し、
静止画像開始信号を印加し、
前記表示パネルの駆動周波数を前記第１の周波数よりも低い第２の周波数に変更し、
静止画像終了信号を印加し、
前記表示パネルの駆動周波数を前記第１の周波数に変更し、
前記表示パネルを前記第１の周波数にて駆動するときに、
前記信号制御部は一定の値を有する共通電圧を表示パネルに印加し、
前記表示パネルを前記第２の周波数にて駆動するときに、
前記信号制御部は可変値を有する共通電圧を表示パネルに印加し、
前記表示パネルを前記第２の周波数にて駆動するときに、
前記信号制御部は、
第１の区間において第１の電圧を有し、
第２の区間において前記第１の電圧及び前記第１の電圧よりも高い第２の電圧にてスイングする共通電圧を印加し、
前記共通電圧は、
前記第１の電圧から前記第２の電圧へと変化するときに、
前記第１の電圧と前記第２の電圧との間の値をもって次第に変化することを特徴とする表示装置の駆動方法。
【請求項３０】
動画像及び静止画像を表示する表示パネル及び前記表示パネルを駆動するための信号を制御する信号制御部を備える表示装置を駆動する方法において、
入力映像データを伝送し、表示パネルを第１の周波数にて駆動し、
静止画像開始信号を印加し、
前記表示パネルの駆動周波数を前記第１の周波数よりも低い第２の周波数に変更し、
静止画像終了信号を印加し、
前記表示パネルの駆動周波数を前記第１の周波数に変更し、
前記静止画像開始信号が印加されると、前記入力映像データをフレームメモリに保存し、
前記フレームメモリに保存された保存映像データの代表値を算出するステップと、
前記代表値をキックバック電圧に応じて補正し、補助映像データを生成し、
垂直ブランク区間において前記補助映像データに対応する補助電圧をデータ線に印加し、
前記データ線は複数からなり、
前記保存映像データの代表値を前記データ線別に算出することを特徴とする表示装置の駆動方法。
【請求項３１】
前記代表値は、前記保存映像データの平均階調値、前記保存映像データの上位ｔビットの平均階調値、あるいは、前記保存映像データの最大階調値及び最小階調値の中間値であることを特徴とする請求項３０に記載の表示装置の駆動方法。
【請求項３２】
前記補助映像データは、
Ｇａ＝Ｇｒ−ｄＧ（Ｇａ：前記補助映像データの階調値、Ｇｒ：前記代表値、ｄＧ：前記代表値によるキックバック補償階調値）
によって生成され、
前記キックバック補償階調値は、ルックアップテーブル形式で保存されているか、あるいは、関数によって計算される値であることを特徴とする請求項３０に記載の表示装置の駆動方法。
【請求項３３】
前記キックバック補償階調値が関数によって計算される値であるときに、
前記関数は、
最小階調におけるキックバック補償階調値、最大階調におけるキックバック補償階調値及びキックバック補償階調値の大きさが最大であるときの階調値を用いて線形補間法によって作成されることを特徴とする請求項３２に記載の表示装置の駆動方法。
【請求項３４】
動画像及び静止画像を表示する表示パネル及び前記表示パネルを駆動するための信号を制御する信号制御部を備える表示装置を駆動する方法において、
入力映像データを伝送し、表示パネルを第１の周波数にて駆動し、
静止画像開始信号を印加し、
前記表示パネルの駆動周波数を前記第１の周波数よりも低い第２の周波数に変更し、
静止画像終了信号を印加し、
前記表示パネルの駆動周波数を前記第１の周波数に変更し、
前記表示パネルを前記第２の周波数にて駆動するときに、
前記信号制御部は、
Ｖａ−０．２┃Ｖａ┃≦Ｖｏｆｆ２≦Ｖａ+０．２┃Ｖａ┃
（Ｖｏｆｆ２：前記表示パネルが前記第２の周波数にて駆動されるときのゲートオフ電圧、Ｖａ：前記画素電極に正極性の画素電圧が印加されたときに前記スイッチング素子の前記入力端子と前記出力端子との間に流れる漏れ電流と、前記画素電極に負極性の画素電圧が印加されたときに前記スイッチング素子の前記入力端子と前記出力端子との間に流れる漏れ電流とが等しいときの前記スイッチング素子の前記制御端子の電圧）
の範囲を有するゲートオフ電圧を前記表示パネルに印加することを特徴とする表示装置の駆動方法。
【請求項３５】
前記表示パネルを前記第１の周波数にて駆動するときに、
前記信号制御部は、
Ｖａ−０．２┃Ｖａ┃≦Ｖｏｆｆ１≦Ｖａ+０．２┃Ｖａ┃
（Ｖｏｆｆ１：前記表示パネルが前記第１の周波数にて駆動されるときのゲートオフ電圧、Ｖａ：前記画素電極に正極性の画素電圧が印加されたときに前記スイッチング素子の前記入力端子と前記出力端子との間に流れる漏れ電流と、前記画素電極に負極性の画素電圧が印加されたときに前記スイッチング素子の前記入力端子と前記出力端子との間に流れる漏れ電流とが等しいときの前記スイッチング素子の前記制御端子の電圧）
の範囲を有するゲートオフ電圧を前記表示パネルに印加することを特徴とする請求項３４に記載の表示装置の駆動方法。
【発明の詳細な説明】
【技術分野】
【０００１】
本発明は表示装置及びその駆動方法に係り、さらに詳しくは、消費電力を減らしながら、視認性の欠陥、輝度の変化、フリッカーの視認を防止することのできる表示装置及びその駆動方法に関する。
【背景技術】
【０００２】
最近幅広く用いられるコンピュータモニター、テレビ、携帯電話などには、表示装置が欠かせない。表示装置としては、陰極線管表示装置、液晶表示装置、プラズマ表示装置などが挙げられる。
【０００３】
この種の表示装置は、グラフィック処理装置（ＧＰＵ：Ｇｒａｐｈｉｃ Ｐｒｏｃｅｓｓｉｎｇ Ｕｎｉｔ）、表示パネル及び信号制御部を備える。グラフィック処理装置は、表示パネルに表示する画面の映像データを信号制御部に伝送し、信号制御部は、表示パネルを駆動するための制御信号を生成し、映像データとともに表示パネルに伝送して表示装置を駆動する。
【０００４】
表示パネルが表示する画像は、静止画像と動画像とに大別できる。表示パネルは１秒当たりに多数のフレームを表示し、このとき、各フレームの有する映像データが同一であれば、静止画像を表示することになる。なお、各フレームの有する映像データが異なっていると、動画像を表示することになる。
【０００５】
このとき、信号制御部は、表示パネルが動画像を表示するときだけではなく、静止画像を表示するときにも、グラフィック処理装置から同じ映像データを毎フレームごとに受信してしまうため、消費電力が多く消費されるという問題があった。
【０００６】
最近には、表示装置の消費電力を減らすための多くの研究が試みられている。その一つとして、信号制御部にフレームメモリを追加してフレームメモリが静止画像における映像データを保存し、静止画像を表示する間には保存された映像データを表示パネルに提供する方法が提案されている。これをＰＳＲ（Ｐａｎｅｌ Ｓｅｌｆ Ｒｅｆｒｅｓｈ）方式といい、静止画像を表示する間にはグラフィック処理装置から映像データを受信しなくてもよいので、グラフィック処理装置による映像データの伝送を不活性化させることにより消費電力を減らすことができる。
【０００７】
しかしながら、ＰＳＲ方式により駆動する場合に、フレームメモリが追加されることに起因して消費電力が増大してしまうという問題がある。
【発明の概要】
【発明が解決しようとする課題】
【０００８】
本発明は上記事情に鑑みてなされたものであり、消費電力を減らし、視認性の欠陥を防止することのできる表示装置及びその駆動方法を提供することを目的とする。
【０００９】
また、本発明は、消費電力を減らしながら、輝度の変化を防止することのできる表示装置及びその駆動方法を提供することを目的とする。
【００１０】
さらに、本発明は、消費電力を減らしながら、フリッカーが視認されることを防止することのできる表示装置及びその駆動方法を提供することを目的とする。
【００１１】
さらにまた、本発明は、消費電力を減らしながらも、漏れ電流の増加によりフリッカーが増加することを防止することのできる表示装置及びその駆動方法を提供することを目的とする。
【課題を解決するための手段】
【００１２】
上記の目的を達成するために、本発明の一実施形態に係る表示装置は、静止画像及び動画像を表示する表示パネルと、前記表示パネルを駆動するための信号を制御する信号制御部と、入力映像データを前記信号制御部に伝送するグラフィック処理装置と、を備え、前記信号制御部は、前記入力映像データを保存するフレームメモリを備え、前記表示パネルは、前記動画像を表示するときに第１の周波数にて駆動され、前記静止画像を表示するときに前記第１の周波数よりも低い第２の周波数にて駆動されることを特徴とする。
【００１３】
前記グラフィック処理装置は、静止画像開始信号及び静止画像終了信号を前記信号制御部に伝送するとよい。
【００１４】
前記信号制御部は、前記静止画像開始信号が印加されると前記入力映像データを前記フレームメモリに保存し、前記フレームメモリに保存された保存映像データを前記表示パネルに前記第２の周波数にて出力し、前記入力映像データの伝送を不活性化させるとよい。
【００１５】
前記信号制御部は、前記静止画像終了信号が印加されると前記入力映像データの伝送を活性化させ、前記入力映像データを前記表示パネルに前記第１の周波数にて出力するとよい。
【００１６】
前記第２の周波数にて駆動されるときの垂直ブランク区間の長さは、前記第１の周波数にて駆動されるときの垂直ブランク区間の長さよりも長いとよい。
【００１７】
前記静止画像開始信号が印加されてからＳ１フレーム中に、前記表示パネルは、前記第２の周波数よりも高くて前記第１の周波数よりも低い周波数にて駆動されるとよい。
【００１８】
前記Ｓ１フレーム中に、垂直ブランク区間の長さは次第に長くなるとよい。
【００１９】
前記静止画像終了信号が印加されてからＳ２フレーム中に、前記表示パネルは、前記第２の周波数よりも高くて前記第１の周波数よりも低い周波数にて駆動されるとよい。
【００２０】
前記Ｓ２フレーム中に、垂直ブランク区間の長さは次第に短くなるとよい。
【００２１】
前記表示パネルは、基板と、前記基板の上に形成されるゲート線及びデータ線と、前記ゲート線及び前記データ線に接続されるスイッチング素子と、前記スイッチング素子に接続される画素電極と、を備え、前記ゲート線にはゲートオン電圧及びゲートオフ電圧を含むゲート信号が印加されるとよい。
【００２２】
前記第２の周波数にて駆動されるときの前記ゲート信号のクロック周波数は、前記第１の周波数にて駆動されるときの前記ゲート信号のクロック周波数よりも低いとよい。
【００２３】
前記第２の周波数にて駆動されるときの垂直ブランク区間の長さは、前記第１の周波数にて駆動されるときの垂直ブランク区間の長さよりも長いとよい。
【００２４】
前記表示パネルは、前記静止画像終了信号の印加されたフレームが終了するまで前記第２の周波数にて駆動するとよい。
【００２５】
前記表示パネルはゲート線及びデータ線を備え、前記ゲート線を駆動するゲート駆動部と、前記データ線を駆動するデータ駆動部と、をさらに備え、前記信号制御部は、前記ゲート駆動部にＳＴＶ信号及びＣＰＶ信号を伝送するとよい。
【００２６】
前記信号制御部は、前記第２の周波数から前記第１の周波数へと変更される地点を除いて、１フレームの開始地点において前記ゲート駆動部にＳＴＶ信号を伝送するとよい。
【００２７】
前記信号制御部は、前記表示パネルが前記第１の周波数にて駆動されるときと、前記第２の周波数にて駆動されるときとの前記ＣＰＶ信号の幅が互いに等しくなるように制御するとよい。
【００２８】
前記信号制御部は、前記表示パネルが前記第１の周波数にて駆動されるときに、前記ＣＰＶ信号の幅がｐ回のクロック信号と等しい幅を有し、前記表示パネルが前記第２の周波数にて駆動されるときに、前記ＣＰＶ信号の幅が前記ｐよりも少ないｑ回のクロック信号と等しい幅を有するように制御するとよい。
【００２９】
前記信号制御部は、前記表示パネルが前記第２の周波数にて駆動されるときに前記映像データをガンマ補正し、補正された映像データを前記表示パネルに伝送するとよい。
【００３０】
前記信号制御部は、前記静止画像開始信号が印加されてから前記静止画像終了信号が印加されるまでに入力される静止画像連続フレームの数を数え、前記静止画像終了信号が印加されてから前記静止画像開始信号が印加されるまでに入力される動画像連続フレームの数を数えるフレーム計数部をさらに備えてもよい。
【００３１】
前記信号制御部は、前記静止画像連続フレームの数がｘ以上であれば、前記入力映像データを前記フレームメモリに保存し、前記入力映像データの伝送を不活性化させ、前記動画像連続フレームの数がｙ以上であれば、前記入力映像データの伝送を活性化させるとよい。
【００３２】
前記信号制御部は、前記静止画像連続フレームの数がｘ以上であれば、前記フレームメモリに保存された保存映像データを前記表示パネルに前記第２の周波数にて出力し、前記動画像連続フレームの数がｙ以上であれば、前記入力映像データを前記表示パネルに前記第１の周波数にて出力するとよい。
【００３３】
本発明の一実施形態に係る表示装置は、前記表示パネルに光を照射する光源部と、前記光源部を駆動するための信号を制御する光源駆動部と、をさらに備えてもよい。
【００３４】
前記光源駆動部は、前記表示パネルが第１の周波数にて駆動されるときに前記光源部を第１の比率にて駆動し、前記表示パネルが第２の周波数にて駆動されるときに前記光源部を第２の比率にて駆動するとよい。
【００３５】
前記表示パネルがノーマリーブラックモードであるときに前記第２の比率は前記第１の比率よりも低い値を有し、前記表示パネルがノーマリーホワイトモードであるときに前記第２の比率は前記第１の比率よりも高い値を有するとよい。
【００３６】
前記信号制御部は、前記グラフィック処理装置から前記入力映像データを受信する信号受信部と、前記静止画像を表示するときに前記第１の周波数を選択し、前記動画像を表示するときに前記第２の周波数を選択する駆動周波数選択部と、をさらに備えてもよい。
【００３７】
前記光源駆動部は、前記信号制御部から前記表示パネルの駆動周波数を受信する駆動周波数受信部と、前記駆動周波数により前記光源部の駆動率を決定する光源部駆動率選択部と、前記光源部の駆動率に応じて前記光源を駆動する信号を生成する光源駆動信号生成部と、を備えてもよい。
【００３８】
前記光源駆動部は、前記表示パネルが前記第１の周波数にて駆動されるときに前記光源部の駆動比率を一定に維持し、前記表示パネルが前記第２の周波数にて駆動されるときに前記光源部の駆動比率を周期的に変化させるとよい。
【００３９】
前記表示パネルはノーマリーブラックモードであり、前記光源駆動部は、前記表示パネルが前記第１の周波数にて駆動されるときに前記光源部を第１の比率にて駆動し、前記表示パネルが前記第２の周波数にて駆動されるときに前記光源部を第１の比率及び前記第１の比率から次第に低くなる比率にて駆動するとよい。
【００４０】
前記表示パネルはゲート線及びデータ線を備え、前記ゲート線を駆動するゲート駆動部と、前記データ線を駆動するデータ駆動部と、をさらに備え、前記信号制御部は、毎フレームの開始地点において前記ゲート駆動部にＳＴＶ信号を伝送するとよい。
【００４１】
前記光源駆動部は、前記表示パネルが前記第２の周波数にて駆動されるときに、前記ＳＴＶ信号が伝送される地点において前記光源部を第１の比率にて駆動し、次のＳＴＶ信号が伝送されるまで前記光源部を前記第１の比率から次第に低くなる比率にて駆動するとよい。
【００４２】
前記表示パネルが前記第１の周波数にて駆動されるときの前記ＳＴＶ信号の伝送周期は、前記表示パネルが前記第２の周波数にて駆動されるときの前記光源部の駆動比率の変化周期と等しいとよい。
【００４３】
前記表示パネルはノーマリーホワイトモードであり、前記光源駆動部は、前記表示パネルが前記第１の周波数にて駆動されるときに前記光源部を第１の比率にて駆動し、前記表示パネルが前記第２の周波数にて駆動されるときに前記光源部を第１の比率及び前記第１の比率から次第に高くなる比率にて駆動するとよい。
【００４４】
前記表示パネルは、基板と、前記基板の上に形成されるゲート線、データ線及び維持電極線と、前記ゲート線及び前記データ線に接続される第１のスイッチング素子と、前記第１のスイッチング素子及び前記維持電極線に接続される維持キャパシタと、を備え、前記表示パネルが前記第１の周波数にて駆動されるときに、前記維持電極線に入力される共通電圧は一定の値を有し、前記表示パネルが前記第２の周波数にて駆動されるときに、前記共通電圧は経時的に変化する値を有するとよい。
【００４５】
前記表示パネルは、前記維持電極線と前記維持キャパシタとの間に形成される第２のスイッチング素子及び第３のスイッチング素子と、前記基板の上に形成される維持電極制御線と、をさらに備え、前記第２のスイッチング素子及び前記第３のスイッチング素子はそれぞれ制御端子、入力端子、出力端子を備え、前記第２のスイッチング素子及び前記第３のスイッチング素子の入力端子は前記維持電極線に接続され、前記第２のスイッチング素子及び前記第３のスイッチング素子の出力端子は前記維持キャパシタに接続され、前記第２のスイッチング素子の制御端子は前記ゲート線に接続され、前記第３のスイッチング素子の制御端子は前記維持電極制御線に接続される。
【００４６】
前記共通電圧は、前記表示パネルが前記第２の周波数にて駆動されるときに、第１の区間において第１の電圧を有し、第２の区間において前記第１の電圧よりも高い第２の電圧を有するとよい。
【００４７】
１フレームは、映像データが伝送される有効区間と、映像データが伝送されない垂直ブランク区間と、からなり、前記第１の区間は前記有効区間であり、前記第２の区間は前記垂直ブランク区間であるとよい。
【００４８】
前記維持電極制御線に入力される制御電圧は前記第１の区間においてゲートオフ電圧を有し、前記第２の区間においてゲートオン電圧を有するとよい。
【００４９】
前記共通電圧は、前記表示パネルが前記第２の周波数にて駆動されるときに第３の区間において前記第２の電圧よりも高い第３の電圧を有するとよい。
【００５０】
１フレームは、映像データが伝送される有効区間と、映像データが伝送されない垂直ブランク区間と、からなり、前記第１の区間は前記有効区間であり、前記第２の区間は前記垂直ブランク区間の一部であり、前記第３の区間は前記垂直ブランク区間の残りの一部であるとよい。
【００５１】
前記共通電圧は、前記表示パネルが前記第２の周波数にて駆動されるときに第１の区間において第１の電圧を有し、第２の区間において前記第１の電圧及び前記第１の電圧よりも高い第２の電圧にてスイングするとよい。
【００５２】
前記共通電圧は、前記第１の電圧から前記第２の電圧へと変化するときに、前記第１の電圧と前記第２の電圧との間の値をもって次第に変化するとよい。
【００５３】
本発明の一実施形態に係る表示装置は、前記ゲート線を駆動するゲート駆動部と、前記データ線を駆動するデータ駆動部と、をさらに備え、前記信号制御部は、前記フレームメモリに保存された保存映像データの代表値を算出する演算部と、前記代表値を保存するラインメモリと、前記代表値をキックバック電圧に応じて補正して補助映像データを生成するキックバック補正部と、を備え、前記データ駆動部は、前記静止画像を表示するときに垂直ブランク区間において前記補助映像データに対応する補助電圧を前記データ線に印加するとよい。
【００５４】
前記データ線は複数からなり、前記演算部は、前記データ線別に前記保存映像データの代表値を算出するとよい。
【００５５】
前記代表値は、前記保存映像データの平均階調値であるとよい。
【００５６】
前記代表値は、前記保存映像データの上位ｔビットの平均階調値であるよい。
【００５７】
前記代表値は、前記保存映像データの最大階調値及び最小階調値の中間値であるとよい。
【００５８】
前記補助映像データは、Ｇａ＝Ｇｒ−ｄＧ（Ｇａ：前記補助映像データの階調値、Ｇｒ：前記代表値、ｄＧ：前記代表値によるキックバック補償階調値）により生成されるとよい。
【００５９】
前記キックバック補償階調値は、ルックアップテーブルの形式で保存されているとよく、あるいは、関数によって計算される値であるとよい。
【００６０】
前記キックバック補償階調値が関数によって計算される値であるときに、前記関数は、最小階調におけるキックバック補償階調値、最大階調におけるキックバック補償階調値及びキックバック補償階調値の大きさが最大であるときの階調値を用いて線形補間法によって作成されるとよい。
【００６１】
前記表示パネルは、ゲート線及びデータ線と、前記ゲート線に制御端子が接続され、前記データ線に入力端子が接続されるスイッチング素子と、前記スイッチング素子の出力端子に接続される画素電極と、を備え、前記ゲート線にはゲートオン電圧及びゲートオフ電圧を含むゲート信号が印加され、前記表示パネルが前記第２の周波数にて駆動されるときの前記ゲートオフ電圧は、Ｖａ−０．２┃Ｖａ┃≦Ｖｏｆｆ２≦Ｖａ+０．２┃Ｖａ┃（Ｖｏｆｆ２：前記表示パネルが前記第２の周波数にて駆動されるときの前記ゲートオフ電圧、Ｖａ：前記画素電極に正極性の画素電圧が印加されたときに前記スイッチング素子の前記入力端子と前記出力端子との間に流れる漏れ電流と、前記画素電極に負極性の画素電圧が印加されたときに前記スイッチング素子の前記入力端子と前記出力端子との間に流れる漏れ電流とが等しいときの前記スイッチング素子の前記制御端子の電圧）の範囲を有するとよい。
【００６２】
前記表示パネルが前記第２の周波数にて駆動されるときに、前記ゲートオフ電圧は、Ｖａ−０．１┃Ｖａ┃≦Ｖｏｆｆ２≦Ｖａ+０．１┃Ｖａ┃（Ｖｏｆｆ２：前記表示パネルが前記第２の周波数にて駆動されるときの前記ゲートオフ電圧、Ｖａ：前記画素電極に正極性の画素電圧が印加されたときに前記スイッチング素子の前記入力端子と前記出力端子との間に流れる漏れ電流と、前記画素電極に負極性の画素電圧が印加されたときに前記スイッチング素子の前記入力端子と前記出力端子との間に流れる漏れ電流とが等しいときの前記スイッチング素子の前記制御端子の電圧）の範囲を有するとよい。
【００６３】
前記表示パネルが前記第１の周波数にて駆動されるときの前記ゲートオフ電圧は、Ｖａ−０．２┃Ｖａ┃≦Ｖｏｆｆ１≦Ｖａ+０．２┃Ｖａ┃（Ｖｏｆｆ１：前記表示パネルが前記第１の周波数にて駆動されるときの前記ゲートオフ電圧、Ｖａ：前記画素電極に正極性の画素電圧が印加されたときに前記スイッチング素子の前記入力端子と前記出力端子との間に流れる漏れ電流と、前記画素電極に負極性の画素電圧が印加されたときに前記スイッチング素子の前記入力端子と前記出力端子との間に流れる漏れ電流とが等しいときの前記スイッチング素子の前記制御端子の電圧）の範囲を有するとよい。
【００６４】
前記表示パネルが前記第１の周波数にて駆動されるときの前記ゲートオフ電圧は、Ｖａ−０．１┃Ｖａ┃≦Ｖｏｆｆ１≦Ｖａ+０．１┃Ｖａ┃（Ｖｏｆｆ１：前記表示パネルが前記第１の周波数にて駆動されるときの前記ゲートオフ電圧、Ｖａ：前記画素電極に正極性の画素電圧が印加されたときに前記スイッチング素子の前記入力端子と前記出力端子との間に流れる漏れ電流と、前記画素電極に負極性の画素電圧が印加されたときに前記スイッチング素子の前記入力端子と前記出力端子との間に流れる漏れ電流とが等しいときの前記スイッチング素子の前記制御端子の電圧）の範囲を有するとよい。
【００６５】
前記表示パネルが前記第１の周波数にて駆動されるときの前記ゲートオフ電圧は、前記表示パネルが前記第２の周波数にて駆動されるときの前記ゲートオフ電圧と等しいとよい。
【００６６】
前記表示パネルが前記第１の周波数にて駆動されるときの前記ゲートオフ電圧は、前記表示パネルが前記第２の周波数にて駆動されるときの前記ゲートオフ電圧よりも低いとよい。
【００６７】
本発明の一実施形態に係る表示装置は、前記ゲート線を駆動するゲート駆動部と、前記データ線を駆動するデータ駆動部と、をさらに備え、前記信号制御部は、前記静止画像開始信号が印加されると前記入力映像データを前記フレームメモリに保存し、前記フレームメモリに保存されている保存映像データを前記データ駆動部に印加し、前記入力映像データの伝送を不活性化させるとよい。
【００６８】
前記静止画像終了信号が印加されると前記入力映像データの伝送を活性化させ、前記入力映像データを前記データ駆動部に印加するとよい。
【００６９】
前記ゲート駆動部は、前記表示パネルの一方の側に取り付けられるとよい。
【００７０】
前記ゲート駆動部は、前記ゲート線、前記データ線及び前記スイッチング素子とともに前記表示パネル内に実装されるとよい。
【００７１】
本発明の一実施形態に係る表示装置の駆動方法は、動画像及び静止画像を表示する表示パネル及び前記表示パネルを駆動するための信号を制御する信号制御部を備える表示装置を駆動する方法において、入力映像データを伝送し、表示パネルを第１の周波数にて駆動し、静止画像開始信号を印加し、前記表示パネルの駆動周波数を前記第１の周波数よりも低い第２の周波数に変更し、静止画像終了信号を印加し、前記表示パネルの駆動周波数を前記第１の周波数に変更することを特徴とする。
【００７２】
前記静止画像開始信号が印加されると、前記入力映像データをフレームメモリに保存し、前記入力映像データの伝送を不活性化させ、前記フレームメモリに保存された保存映像データを前記表示パネルに前記第２の周波数にて出力するとよい。
【００７３】
前記静止画像終了信号が印加されると、前記入力映像データの伝送を活性化させ、前記入力映像データを前記表示パネルに前記第１の周波数にて出力するとよい。
【００７４】
前記第２の周波数にて駆動されるときの垂直ブランク区間の長さは、前記第１の周波数にて駆動されるときの垂直ブランク区間の長さよりも長いとよい。
【００７５】
前記静止画像開始信号が印加されてからＳ１フレーム中に、前記表示パネルを前記第２の周波数よりも高くて前記第１の周波数よりも低い周波数にて駆動するとよい。
【００７６】
前記Ｓ１フレーム中に、垂直ブランク区間の長さは次第に長くなるとよい。
【００７７】
前記静止画像終了信号が印加されてからＳ２フレーム中に、前記表示パネルを前記第２の周波数よりも高くて前記第１の周波数よりも低い周波数にて駆動するとよい。
【００７８】
前記Ｓ２フレーム中に、垂直ブランク区間の長さは次第に短くなるとよい。
【００７９】
前記表示パネルは、基板と、前記基板の上に形成されるゲート線及びデータ線と、前記ゲート線及び前記データ線に接続されるスイッチング素子と、前記スイッチング素子に接続される画素電極と、を備え、前記ゲート線にゲートオン電圧及びゲートオフ電圧を含むゲート信号を印加するとよい。
【００８０】
前記第２の周波数にて駆動されるときの前記ゲート信号のクロック周波数は、前記第１の周波数にて駆動されるときの前記ゲート信号のクロック周波数よりも低いとよい。
【００８１】
前記第２の周波数にて駆動されるときの垂直ブランク区間の長さは、前記第１の周波数にて駆動されるときの垂直ブランク区間の長さよりも長いとよい。
【００８２】
前記静止画像終了信号の印加されたフレームが終了するまで前記表示パネルを前記第２の周波数にて駆動し、前記静止画像終了信号が印加されたフレームの次のフレームが開始される前記表示パネルの駆動周波数を前記第１の周波数に変更するとよい。
【００８３】
前記表示パネルはゲート線及びデータ線を備え、前記ゲート線を駆動するゲート駆動部と、前記データ線を駆動するデータ駆動部と、をさらに備え、前記信号制御部は、前記ゲート駆動部にＳＴＶ信号及びＣＰＶ信号を伝送するとよい。
【００８４】
前記信号制御部は、前記第２の周波数から前記第１の周波数へと変更される地点を除いて、毎フレームの開始地点において前記ゲート駆動部にＳＴＶ信号を伝送するとよい。
【００８５】
前記信号制御部は、前記表示パネルが前記第１の周波数にて駆動されるときと、前記第２の周波数にて駆動されるときとの前記ＣＰＶ信号の幅が互いに等しくなるように制御してもよい。
【００８６】
前記信号制御部は、前記表示パネルが前記第１の周波数にて駆動されるときに前記ＣＰＶ信号の幅がｐ回のクロック信号と等しい幅を有し、前記表示パネルが前記第２の周波数にて駆動されるときに前記ＣＰＶ信号の幅が前記ｐよりも少ないｑ回のクロック信号と等しい幅を有するように制御してもよい。
【００８７】
前記信号制御部は、前記表示パネルが前記第２の周波数にて駆動されるときに前記映像データをガンマ補正し、補正された映像データを前記表示パネルに伝送するとよい。
【００８８】
前記表示装置の駆動方法は、さらに、前記静止画像開始信号が印加されてから前記静止画像終了信号が印加されるまでに入力される静止画像連続フレームの数を数え、前記静止画像終了信号が印加されてから前記静止画像開始信号が印加されるまでに入力される動画像連続フレームの数を数えるとよい。
【００８９】
前記信号制御部は、前記静止画像連続フレームの数がｘ以上であれば、前記入力映像データを前記フレームメモリに保存し、前記入力映像データの伝送を不活性化させ、前記動画像連続フレームの数がｙ以上であれば、前記入力映像データの伝送を活性化させるとよい。
【００９０】
前記信号制御部は、前記静止画像連続フレームの数がｘ以上であれば、前記フレームメモリに保存された保存映像データを前記表示パネルに前記第２の周波数にて出力し、前記動画像連続フレームの数がｙ以上であれば、前記入力映像データを前記表示パネルに前記第１の周波数にて出力するとよい。
【００９１】
前記表示装置は、光源部をさらに備え、前記表示パネルを第１の周波数にて駆動するときに前記光源部を第１の比率にて駆動し、前記表示パネルを第２の周波数にて駆動するときに前記光源部を第２の比率にて駆動するとよい。
【００９２】
前記表示パネルがノーマリーブラックモードであるときに、前記第２の比率は前記第１の比率よりも低い値を有し、前記表示パネルがノーマリーホワイトモードであるときに、前記第２の比率は前記第１の比率よりも高い値を有するとよい。
【００９３】
前記表示パネルの駆動周波数による前記光源部の駆動比率の選択は、ルックアップテーブルまたは関数を用いて行われるとよい。
【００９４】
前記表示パネルの駆動周波数及び前記光源部の駆動比率の切り替えは、垂直ブランク区間において行われるとよい。
【００９５】
前記表示パネルを前記第１の周波数にて駆動するときに前記光源部の駆動比率を一定に維持し、前記表示パネルを前記第２の周波数にて駆動するときに前記光源部の駆動比率を周期的に変化させるとよい。
【００９６】
前記表示パネルはノーマリーブラックモードであり、前記表示装置は、光源部をさらに備え、前記表示パネルを前記第１の周波数にて駆動するときに前記光源部を第１の比率にて駆動し、前記表示パネルを前記第２の周波数にて駆動するときに前記光源部を第１の比率及び前記第１の比率から次第に低くなる比率にて駆動するとよい。
【００９７】
前記表示パネルはゲート線及びデータ線を備え、前記表示装置は、前記ゲート線を駆動するゲート駆動部と、前記データ線を駆動するデータ駆動部と、をさらに備え、前記信号制御部は、毎フレームの開始地点において前記ゲート駆動部にＳＴＶ信号を伝送するとよい。
【００９８】
前記表示パネルを前記第２の周波数にて駆動するときに、前記ＳＴＶ信号を伝送する地点において前記光源部を第１の比率にて駆動し、次のＳＴＶ信号を伝送するまで前記光源部を前記第１の比率から次第に低くなる比率にて駆動するとよい。
【００９９】
前記表示パネルを前記第１の周波数にて駆動するときの前記ＳＴＶ信号の伝送周期は、前記表示パネルを前記第２の周波数にて駆動するときの前記光源部の駆動比率の変化周期と等しくするとよい。
【０１００】
前記表示パネルはノーマリーホワイトモードであり、前記表示パネルを前記第１の周波数にて駆動するときに前記光源部を第１の比率にて駆動し、前記表示パネルを前記第２の周波数にて駆動するときに前記光源部を第１の比率及び前記第１の比率から次第に高くなる比率にて駆動するとよい。
【０１０１】
前記表示パネルを前記第１の周波数にて駆動するときに、前記信号制御部は、一定の値を有する共通電圧を表示パネルに印加し、前記表示パネルを前記第２の周波数にて駆動するときに、前記信号制御部は、可変値を有する共通電圧を表示パネルに印加するとよい。
【０１０２】
前記表示パネルを前記第２の周波数にて駆動するときに、前記信号制御部は第１の区間において第１の電圧を有し、第２の区間において前記第１の電圧よりも高い第２の電圧を有する共通電圧を印加するとよい。
【０１０３】
１フレームは、映像データが伝送される有効区間と、映像データが伝送されない垂直ブランク区間と、からなり、前記第１の区間は前記有効区間であり、前記第２の区間は前記垂直ブランク区間であるとよい。
【０１０４】
前記表示パネルを前記第２の周波数にて駆動するときに、前記信号制御部は、第３の区間において前記第２の電圧よりも高い第３の電圧を有する共通電圧を表示パネルに印加するとよい。
【０１０５】
１フレームは、映像データが伝送される有効区間と、映像データが伝送されない垂直ブランク区間と、からなり、前記第１の区間は前記有効区間であり、前記第２の区間は前記垂直ブランク区間の一部であり、前記第３の区間は前記垂直ブランク区間の残りの一部であるとよい。
【０１０６】
前記表示パネルを前記第２の周波数にて駆動するときに、前記信号制御部は第１の区間において第１の電圧を有し、第２の区間において前記第１の電圧及び前記第１の電圧よりも高い第２の電圧にてスイングする共通電圧を印加するとよい。
【０１０７】
前記共通電圧は、前記第１の電圧から前記第２の電圧へと変化するときに、前記第１の電圧と前記第２の電圧との間の値をもって次第に変化するとよい。
【０１０８】
本発明の一実施形態に係る表示装置の駆動方法は、さらに、前記静止画像開始信号が印加されると前記入力映像データをフレームメモリに保存し、前記フレームメモリに保存された保存映像データの代表値を算出し、前記代表値をキックバック電圧に応じて補正し、補助映像データを生成し、垂直ブランク区間において前記補助映像データに対応する補助電圧をデータ線に印加するとよい。
【０１０９】
前記データ線は複数からなり、前記保存映像データの代表値を前記データ線別に算出するとよい。
【０１１０】
前記代表値は、前記保存映像データの平均階調値であるとよい。
【０１１１】
前記代表値は、前記保存映像データの上位ｔビットの平均階調値であるとよい。
【０１１２】
前記代表値は、前記保存映像データの最大階調値及び最小階調値の中間値であるとよい。
【０１１３】
前記補助映像データは、Ｇａ＝Ｇｒ−ｄＧ（Ｇａ：前記補助映像データの階調値、Ｇｒ：前記代表値、ｄＧ：前記代表値によるキックバック補償階調値）により生成されるとよい。
【０１１４】
前記キックバック補償階調値は、ルックアップテーブルの形式で保存されているか、あるいは、関数によって計算される値であるとよい。
【０１１５】
前記キックバック補償階調値が関数によって計算される値であるときに、前記関数は、最小階調におけるキックバック補償階調値、最大階調におけるキックバック補償階調値及びキックバック補償階調値の大きさが最大であるときの階調値を用いて、線形補間法（Ｌｉｎｅａｒ Ｉｎｔｅｒｐｏｌａｔｉｏｎ）によって作成されるとよい。
【０１１６】
前記表示パネルを前記第２の周波数にて駆動するときに、前記信号制御部は、Ｖａ−０．２┃Ｖａ┃≦Ｖｏｆｆ２≦Ｖａ+０．２┃Ｖａ┃（Ｖｏｆｆ２：前記表示パネルが前記第２の周波数にて駆動されるときのゲートオフ電圧、Ｖａ：前記画素電極に正極性の画素電圧が印加されたときに前記スイッチング素子の前記入力端子と前記出力端子との間に流れる漏れ電流と、前記画素電極に負極性の画素電圧が印加されたときに前記スイッチング素子の前記入力端子と前記出力端子との間に流れる漏れ電流とが等しいときの前記スイッチング素子の前記制御端子の電圧）の範囲を有するゲートオフ電圧を前記表示パネルに印加するとよい。
【０１１７】
前記表示パネルを前記第２の周波数にて駆動するときに、前記信号制御部は、Ｖａ−０．１┃Ｖａ┃≦Ｖｏｆｆ２≦Ｖａ+０．１┃Ｖａ┃（Ｖｏｆｆ２：前記表示パネルが前記第２の周波数にて駆動されるときのゲートオフ電圧、Ｖａ：前記画素電極に正極性の画素電圧が印加されたときに前記スイッチング素子の前記入力端子と前記出力端子との間に流れる漏れ電流と、前記画素電極に負極性の画素電圧が印加されたときに前記スイッチング素子の前記入力端子と前記出力端子との間に流れる漏れ電流とが等しいときの前記スイッチング素子の前記制御端子の電圧）の範囲を有するゲートオフ電圧を前記表示パネルに印加するとよい。
【０１１８】
前記表示パネルを前記第１の周波数にて駆動するときに、前記信号制御部は、Ｖａ−０．２┃Ｖａ┃≦Ｖｏｆｆ１≦Ｖａ+０．２┃Ｖａ┃（Ｖｏｆｆ１：前記表示パネルが前記第１の周波数にて駆動されるときのゲートオフ電圧、Ｖａ：前記画素電極に正極性の画素電圧が印加されたときに前記スイッチング素子の前記入力端子と前記出力端子との間に流れる漏れ電流と、前記画素電極に負極性の画素電圧が印加されたときに前記スイッチング素子の前記入力端子と前記出力端子との間に流れる漏れ電流とが等しいときの前記スイッチング素子の前記制御端子の電圧）の範囲を有するゲートオフ電圧を前記表示パネルに印加するとよい。
【０１１９】
前記表示パネルを前記第１の周波数にて駆動するときに、前記信号制御部は、Ｖａ−０．１┃Ｖａ┃≦Ｖｏｆｆ１≦Ｖａ+０．１┃Ｖａ┃（Ｖｏｆｆ１：前記表示パネルが前記第１の周波数にて駆動されるときのゲートオフ電圧、Ｖａ：前記画素電極に正極性の画素電圧が印加されたときに前記スイッチング素子の前記入力端子と前記出力端子との間に流れる漏れ電流と、前記画素電極に負極性の画素電圧が印加されたときに前記スイッチング素子の前記入力端子と前記出力端子との間に流れる漏れ電流とが等しいときの前記スイッチング素子の前記制御端子の電圧）の範囲を有するゲートオフ電圧を前記表示パネルに印加するとよい。
【０１２０】
前記表示パネルが前記第１の周波数にて駆動されるときの前記ゲートオフ電圧は、前記表示パネルが前記第２の周波数にて駆動されるときの前記ゲートオフ電圧と等しくてもよい。
【０１２１】
前記表示パネルが前記第１の周波数にて駆動されるときの前記ゲートオフ電圧は、前記表示パネルが前記第２の周波数にて駆動されるときの前記ゲートオフ電圧よりも低くてもよい。
【発明の効果】
【０１２２】
本発明の一実施形態に係る表示装置及びその駆動方法によれば、下記の効果が得られる。
【０１２３】
本発明の一実施形態に係る表示装置及びその駆動方法は、動画像を表示するときよりも、静止画像を表示するときにさらに低い周波数にて駆動することにより、消費電力を減らすことができるという効果がある。このとき、静止画像における周波数を一定の以下にすることにより、フレームメモリが追加されることによる消費電力の増加分以上に消費電力を減少させることができる。
【０１２４】
また、静止画像から動画像へと切り替わる地点において静止画像を再び表示することにより、周波数の変更による視認性の欠陥を防止することができるという効果がある。
【０１２５】
さらに、周波数を変更してもＣＰＶ信号の幅は一定になるように設定したり、ガンマ補正をしたりすることにより、周波数の変更による視認性の欠陥を防止することができるという効果がある。
【０１２６】
さらに、周波数の変更により光源部を調光駆動することにより、周波数の変更による輝度の変化を防止することができるという効果がある。
【０１２７】
さらに、静止画像連続フレームの数と動画像連続フレームの数が一定数以上であるときに表示パネルの駆動周波数を変更することにより、周波数の変更による輝度の変化をさらに防止することができるという効果がある。
【０１２８】
さらに、表示パネルを第２の周波数にて駆動するときに共通電圧を変化させて輝度を変化させることにより、フリッカーが視認されることを防ぐことができる。
【０１２９】
さらに、表示パネルを第２の周波数にて駆動するときに、垂直ブランク区間において各データ線別に保存映像データを代表する値を演算し、これをキックバック補正した値に対応する補助電圧をデータ線に印加することにより漏れ電流を減らし、その結果、フリッカーを減らすことができる。
【０１３０】
さらに、表示パネルを第２の周波数にて駆動するときのゲートオフ電圧の範囲を、画素電極に正極性の画素電圧が印加されたときのスイッチング素子の漏れ電流と、画素電極に負極性の画素電圧が印加されたときのスイッチング素子の漏れ電流とが等しくなる地点を基準として設定することにより、フリッカーを減らすことができる。
【図面の簡単な説明】
【０１３１】
【図１】本発明の第１の実施形態に係る表示装置のブロック図である。
【図２】本発明の第１の実施形態に係る表示装置の信号制御部を示すブロック図である。
【図３】本発明の第１の実施形態に係る表示装置の制御信号を示す図である。
【図４】本発明の第１の実施形態に係る表示装置の制御信号を示す図である。
【図５】本発明の第１の実施形態に係る表示装置において用いられるＤＥ信号及びＶｓｙｎｃ信号を示す図である。
【図６】本発明の第１の実施形態に係る表示装置において表示パネルが第１の周波数にて駆動されるときのゲート信号及びＳＴＶ信号を示す図である。
【図７】本発明の第１の実施形態に係る表示装置において表示パネルが第２の周波数にて駆動されるときのゲート信号及びＳＴＶ信号を示す図である。
【図８】本発明の第１の実施形態に係る表示装置において表示パネルが第２の周波数にて駆動されるときのゲート信号及びＳＴＶ信号を示す図である。
【図９】本発明の第１の実施形態に係る表示装置において表示パネルが第２の周波数にて駆動されるときのゲート信号及びＳＴＶ信号を示す図である。
【図１０】本発明の第１の実施形態に係る表示装置において第１の周波数にて駆動されるときのクロック信号及びＣＰＶ信号を示す図である。
【図１１】本発明の第１の実施形態に係る表示装置において第２の周波数にて駆動されるときのクロック信号及びＣＰＶ信号を示す図である。
【図１２】本発明の第１の実施形態に係る表示装置において映像データを補正する方法を示すフローチャートである。
【図１３】本発明の第２の実施形態に係る表示装置のブロック図である。
【図１４】本発明の第２の実施形態に係る表示装置の光源駆動部を示すブロック図である。
【図１５】本発明の第２の実施形態に係る表示装置の駆動方法を示すフローチャートである。
【図１６】本発明の第２の実施形態に係る表示装置の駆動方法を手順により各ステップ別に示す信号制御部のブロック図である。
【図１７】本発明の第２の実施形態に係る表示装置の駆動方法を手順により各ステップ別に示す信号制御部のブロック図である。
【図１８】本発明の第２の実施形態に係る表示装置の駆動方法を手順により各ステップ別に示す信号制御部のブロック図である。
【図１９】本発明の第２の実施形態に係る表示装置の駆動方法を手順により各ステップ別に示す光源駆動部のブロック図である。
【図２０】本発明の第２の実施形態に係る表示装置の駆動方法を手順により各ステップ別に示す光源駆動部のブロック図である。
【図２１】本発明の第３の実施形態に係る信号制御部のブロック図である。
【図２２】本発明の第３の実施形態に係る表示装置の駆動方法を示すフローチャートである。
【図２３】本発明の第３の実施形態に係る表示装置の駆動方法を手順により各ステップ別に示す信号制御部のブロック図である。
【図２４】本発明の第３の実施形態に係る表示装置の駆動方法を手順により各ステップ別に示す信号制御部のブロック図である。
【図２５】本発明の第３の実施形態に係る表示装置の駆動方法を手順により各ステップ別に示す信号制御部のブロック図である。
【図２６】本発明の第３の実施形態に係る表示装置の駆動方法を手順により各ステップ別に示す信号制御部のブロック図である。
【図２７】本発明の第４の実施形態に係る表示装置の駆動方法を示すフローチャートである。
【図２８】本発明の第４の実施形態に係る表示装置のＳＴＶ信号及び光源部駆動率を示す図である。
【図２９】本発明の第４の実施形態に係る表示装置のＳＴＶ信号及び光源部駆動率を示す図である。
【図３０】本発明の第５の実施形態に係る表示装置のある画素に対する等価回路図である。
【図３１】本発明の第５の実施形態に係る表示装置の表示パネルが静止画像を表示するときの各制御信号を示す図である。
【図３２】本発明の第５の実施形態に係る表示装置の表示パネルが静止画像を表示するときの各制御信号を示す図である。
【図３３】本発明の第６の実施形態に係る表示装置のある画素に対する等価回路図である。
【図３４】本発明の第６の実施形態に係る表示装置の表示パネルが静止画像を表示するときの各制御信号を示す図である。
【図３５】本発明の第６の実施形態に係る表示装置の表示パネルが静止画像を表示するときの各制御信号を示す図である。
【図３６】駆動周波数による消費電力を示すグラフである。
【図３７】従来の表示パネルを６０Ｈｚにて駆動する場合における維持キャパシタの一方側の端子の電圧を示すグラフである。
【図３８】従来の表示パネルを１０Ｈｚにて駆動する場合における維持キャパシタの一方側の端子の電圧を示すグラフである。
【図３９】本発明の第５の実施形態に係る表示パネルを１０Ｈｚにて駆動する場合における維持キャパシタの一方側の端子の電圧を示すグラフである。
【図４０】本発明の第７の実施形態に係る表示装置の信号制御部を示すブロック図である。
【図４１】映像データの階調値によるキックバック電圧を示すグラフである。
【図４２】映像データの階調値によるキックバック補償階調値を示すグラフである。
【図４３】本発明の第７の実施形態に係る表示装置のある画素に対する等価回路図である。
【図４４】本発明の第７の実施形態に係る表示装置において垂直ブランク区間中に所定の電圧を印加するときの漏れ電流を示す図である。
【図４５】本発明の第８の実施形態に係る表示装置のある画素を示す図である。
【図４６】本発明の第８の実施形態に係る表示装置のスイッチング素子におけるゲート電圧による入力端子と出力端子との間の電流を示すグラフである。
【図４７】従来の技術による表示装置において静止画像を表示するときの輝度特性を示す図である。
【図４８】本発明の第８の実施形態に係る表示装置において静止画像を表示するときの輝度特性を示す図である。
【図４９】本発明の第８の実施形態に係る表示装置において静止画像を表示するときにゲートオフ電圧の値によるフリッカー値を示すグラフである。
【図５０】表示パネルから射出される光の強さを経時的に示すグラフである。
【図５１】フリッカーの測定に用いられる装備を示す図である。
【発明を実施するための形態】
【０１３２】
以下、添付図面に基づき、本発明の実施形態について本発明が属する技術分野において通常の知識を有する者が容易に実施できるように詳しく説明する。しかしながら、本発明は種々の異なる形態にて実現でき、本発明は、ここで説明する実施形態に何ら限定されるものではない。
【０１３３】
図中、種々の層及び領域を明確に表現するために厚さを拡大して示した。明細書全般に亘って、類似する部分に対しては同じ図面符号を付した。層、膜、領域、板などの部分が他の部分の「上」にあるとしたとき、これは他の部分の「直上」にある場合だけではなく、これらの中間にさらに他の部分がある場合も含む。逆に、ある部分が他の部分の「直上」にあるとしたときには、これらの中間に他の部分がないことを意味する。
【０１３４】
まず、添付図面に基づき、本発明の第１の実施形態に係る表示装置について説明する。
【０１３５】
図１は、本発明の第１の実施形態に係る表示装置のブロック図である。
【０１３６】
本発明の第１の実施形態に係る表示装置は、図１に示されるように、映像を表示する表示パネル３００と、表示パネル３００を駆動するための信号を制御する信号制御部６００と、入力映像データを信号制御部６００に伝送するグラフィック処理装置７００と、を備える。
【０１３７】
表示パネル３００は、信号制御部６００から映像データＤＡＴを受信して静止画像と動画像を表示することができる。連続する複数のフレームが同じ映像データＤＡＴを有していると静止画像を表示することになり、互いに異なる映像データＤＡＴを有していると動画像を表示することになる。
【０１３８】
表示パネル３００は、複数のゲート線Ｇ１−Ｇｎと、複数のデータ線Ｄ１−Ｄｍと、を備え、複数のゲート線Ｇ１−Ｇｎは横方向に伸びており、複数のデータ線Ｄ１−Ｄｍは複数のゲート線Ｇ１−Ｇｎと交差しながら縦方向に伸びている。
【０１３９】
一本のゲート線Ｇ１−Ｇｎ及び一本のデータ線Ｄ１−Ｄｍは一つの画素と接続されており、一つの画素は、ゲート線Ｇ１−Ｇｎ及びデータ線Ｄ１−Ｄｍと接続されているスイッチング素子Ｑを含む。スイッチング素子Ｑの制御端子はゲート線Ｇ１−Ｇｎと接続されており、入力端子はデータ線Ｄ１−Ｄｍと接続されており、出力端子は液晶キャパシタＣｌｃ及び維持キャパシタＣｓｔと接続されている。
【０１４０】
図１の表示パネル３００は液晶表示パネルとして示されているが、本発明が適用できる表示パネル３００としては、液晶表示パネルに加えて、有機発光表示パネル、電気泳動表示パネル、プラズマ表示パネルなど種々の表示パネルが挙げられる。
【０１４１】
信号制御部６００は、グラフィック処理装置７００から受信した入力映像データ及びその制御信号、例えば、垂直同期信号Ｖｓｙｎｃ、水平同期信号Ｈｓｙｎｃ、メインクロック信号ＭＣＬＫ及びデータイネーブル信号ＤＥ等に応答して、入力映像データ及び制御信号を液晶表示パネル３００の動作条件に適するように処理した後、ゲート制御信号ＣＯＮＴ１及びデータ制御信号ＣＯＮＴ２を生成及び出力する。
【０１４２】
ゲート制御信号ＣＯＮＴ１は、ゲートオンパルス（ゲート信号ＧＳのハイ区間）の出力開始を指示する垂直同期開始信号ＳＴＶ、ゲートオンパルスの出力時期を制御するゲートクロック信号ＣＰＶ等を含む。
【０１４３】
データ制御信号ＣＯＮＴ２は、映像データＤＡＴの入力開始を指示する水平同期開始信号ＳＴＨと、データ線Ｄ１−Ｄｍに当該データ電圧の印加を指示するロード信号ＴＰ等を含む。
【０１４４】
グラフィック処理装置７００は、入力映像データを信号制御部６００に伝送する。表示パネル３００が動画像を表示するときには、毎フレームごとにグラフィック処理装置７００が信号制御部６００に入力映像データを伝送する。表示パネル３００が静止画像を表示するときには、信号制御部６００がグラフィック処理装置７００から受信した入力映像データを保存して表示パネル３００に伝送するので、グラフィック処理装置７００が信号制御部６００に入力映像データを伝送することはない。すなわち、表示パネル３００が静止画像を表示するときにグラフィック処理装置７００の入力映像データの伝送機能は不活性化される。
【０１４５】
グラフィック処理装置７００は、動画像を表示する入力映像データを伝送していて、静止画像を表示する入力映像データを伝送することになる切り替わり時点で静止画像開始信号を信号制御部６００に伝送する。また、グラフィック処理装置７００は、静止画像を表示する入力映像データを伝送していて、動画像を表示する入力映像データを伝送することになる切り替わり時点で静止画像終了信号を信号制御部６００に伝送する。
【０１４６】
本発明の第１の実施形態に係る表示装置は、ゲート線Ｇ１−Ｇｎを駆動するゲート駆動部４００及びデータ線Ｄ１−Ｄｍを駆動するデータ駆動部５００をさらに備えていてもよい。
【０１４７】
表示パネル３００の複数のゲート線Ｇ１−Ｇｎはゲート駆動部４００と接続されており、ゲート駆動部４００は信号制御部６００から印加されたゲート制御信号ＣＯＮＴ１に応じてゲートオン電圧Ｖｏｎとゲートオフ電圧Ｖｏｆｆを交互にゲート線Ｇ１−Ｇｎに印加する。
【０１４８】
表示パネル３００は相対向する２枚の基板から構成されるとよく、ゲート駆動部４００は、表示パネル３００の一方側の周縁に取り付けられるように形成されるとよい。また、ゲート駆動部４００は、表示パネル３００にゲート線Ｇ１−Ｇｎ、データ線Ｄ１−Ｄｍ及びスイッチング素子Ｑとともに表示パネル３００に実装されるとよい。すなわち、ゲート線Ｇ１−Ｇｎ、データ線Ｄ１−Ｄｍ及びスイッチング素子Ｑを形成する工程においてゲート駆動部４００をも形成するとよい。
【０１４９】
表示パネル３００の複数のデータ線Ｄ１−Ｄｍはデータ駆動部５００と接続されており、データ駆動部５００には、信号制御部６００からデータ制御信号ＣＯＮＴ２及び映像データＤＡＴが受け渡される。データ駆動部５００は、階調電圧生成部８００において生成された階調電圧を用いて映像データＤＡＴをデータ電圧に変換し、これをデータ線Ｄ１−Ｄｍに印加する。
【０１５０】
次いで、本発明の第１の実施形態に係る表示装置の信号制御部について説明する。
【０１５１】
図２は、本発明の第１の実施形態に係る表示装置の信号制御部を示すブロック図である。
【０１５２】
信号制御部６００は、グラフィック処理装置７００から各種信号を受信する信号受信部６１０と、入力映像データを保存するフレームメモリ６４０と、動画像を表示するときに第１の周波数を選択し、静止画像を表示するときに第２の周波数を選択する駆動周波数選択部６５０と、を備えるとよい。
【０１５３】
信号受信部６１０は、グラフィック処理装置７００から入力映像データ、静止画像開始信号及び静止画像終了信号を受信する。図示していないが、信号受信部６１０は、グラフィック処理装置７００と主リンク及び補助リンクを介して接続されている。信号受信部６１０は、主リンクを介してグラフィック処理装置７００から入力映像データを受信する。また、信号受信部６１０は、補助リンクを介してグラフィック処理装置７００から静止画像開始信号、静止画像終了信号を受信し、表示パネル３００の駆動状態を報知する信号をグラフィック処理装置７００に伝送する。
【０１５４】
フレームメモリ６４０は、信号受信部６１０から入力映像データを受信して保存する。表示パネル３００が動画像を表示するときにはフレームメモリ６４０が用いられない。表示パネル３００が静止画像を表示するときにフレームメモリ６４０に入力映像データを保存し、フレームメモリ６４０に保存された保存映像データを表示パネル３００に出力する。
【０１５５】
駆動周波数選択部６５０は、表示パネル３００が動画像を表示するときに第１の周波数を選択し、静止画像を表示するときに第２の周波数を選択する。動画像を表示するときには信号受信部６１０から入力映像データを受信して第１の周波数にて表示パネル３００に出力する。静止画像を表示するときにはフレームメモリ６４０から保存映像データを受信して第２の周波数にて表示パネル３００に出力する。
【０１５６】
このとき、第２の周波数は第１の周波数よりも低い値を有する。
【０１５７】
例えば、第１の周波数は６０Ｈｚであってもよく、これは、１秒当たりに６０枚のフレームを再生して画面に表示することをいう。また、第２の周波数は１０Ｈｚであってもよく、これは、１秒当たりに１０枚のフレームを再生して画面に表示することをいう。この場合、静止画像を表示するときには、動画像を表示するときよりも消費電力が約６分の１ほどに減少することになる。このため、静止画像を表示するときの周波数を、動画像を表示するときよりも一定の比率以下に設定することにより、フレームメモリの追加による消費電力の増加分以上に消費電力を減少することができる。
【０１５８】
動画像を表示するときには、周波数が低くなると動きが不自然になるという問題点があるが、静止画像を表示するときには動きがないため、周波数が低くなってもこのような問題点はない。但し、周波数が低くなるとフリッカーが増加してしまうため、フリッカーが視認されない程度に周波数を低くすることが好ましい。
【０１５９】
以下、図１及び図３に基づき、このような本発明の第１の実施形態に係る表示装置を駆動する方法について説明する。
【０１６０】
図３は、本発明の第１の実施形態に係る表示装置の制御信号を示す図である。
【０１６１】
まず、第１のフレームは動画像を表示するフレームであって、グラフィック処理装置７００は動画像における映像データＤＡＴを信号制御部６００に伝送し、信号制御部６００は、ゲート制御信号ＣＯＮＴ１をゲート駆動部４００に伝送し、映像データＤＡＴ及びデータ制御信号ＣＯＮＴ２をデータ駆動部５００に伝送する。このとき、表示パネル３００は、第１のフレームにおいて第１の周波数にて動画像を表示する。例えば、第１の周波数が６０Ｈｚである場合に、第１のフレームにおいて画面は６０分の１秒間表示される。
【０１６２】
すなわち、グラフィック処理装置７００は第１のフレームが動画像であることを認識して映像データＤＡＴを供給し、表示パネル３００は第１の周波数にて動画像を表示する。
【０１６３】
次いで、第２のフレームは静止画像を表示するフレームであって、グラフィック処理装置７００は、静止画像が始まることを報知する静止画像開始信号とともに、静止画像における映像データＤＡＴを信号制御部６００に伝送する。信号制御部６００は、静止画像開始信号を受け取って静止画像が始まることを認識し、静止画像における映像データＤＡＴをフレームメモリに保存する。なお、信号制御部６００は、グラフィック処理装置７００が静止画像における映像データＤＡＴをそれ以上伝送しないようにグラフィック処理装置７００の主リンクの機能を不活性化させる。
【０１６４】
信号制御部６００は、フレームメモリに保存された静止画像における映像データＤＡＴをデータ駆動部５００に伝送する。このとき、表示パネル３００は、第２のフレームにおいて第２の周波数にて動画像を表示する。例えば、第２の周波数が４０Ｈｚである場合に、第２のフレームにおいて画面は４０分の１秒間表示される。
【０１６５】
すなわち、静止画像である第２のフレームにおいて、グラフィック処理装置７００の主リンクの機能は不活性化され、表示パネル３００は、第２の周波数にて静止画像を表示する。
【０１６６】
図示されていないが、第３のフレームから第Ｎ−１のフレームまでは静止画像であって、第２のフレームでのように、表示パネル３００は第２の周波数にて静止画像を表示する。
【０１６７】
次いで、第Ｎのフレームは、静止画像から動画像へと切り替わる地点に相当するフレームであって、グラフィック処理装置７００は、静止画像が終了することを報知する静止画像終了信号とともに、動画像における映像データＤＡＴを信号制御部６００に伝送する。
【０１６８】
このとき、第Ｎのフレームの直前フレームまで表示パネル３００は第２の周波数にて駆動されていたし、グラフィック処理装置７００は表示パネル３００が第１の周波数にて駆動されると認識しているため、第Ｎのフレームの中間地点において周波数の変動が生じる。また、グラフィック処理装置７００から動画像における映像データＤＡＴが伝送される間に時間遅延が発生する。このため、これに起因して視認性の欠陥が発生することを防止するために、静止画像終了信号が印加された第Ｎのフレームが終了するまで静止画像における映像データＤＡＴを第２の周波数にて表示する。
【０１６９】
すなわち、第Ｎのフレームの中間地点において静止画像終了信号が印加された後、第Ｎのフレームが終了する垂直ブランク区間になるまでは動画像を表示しなければならない区間であるにも拘らず、表示パネル３００は第２の周波数にて静止画像を表示する。
【０１７０】
次いで、第Ｎ+１のフレームは動画像を表示するフレームであって、グラフィック処理装置７００は、動画像における映像データＤＡＴを信号制御部６００に伝送し、表示パネル３００は第１の周波数にて動画像を表示する。
【０１７１】
以下、図１及び図４に基づき、本発明の第１の実施形態に係る表示装置を駆動する他の方法について説明する。
【０１７２】
図４は、本発明の第１の実施形態に係る表示装置の制御信号を示す図である。
【０１７３】
上述した駆動方法と同じ部分が相当数あるため、以下、これについての説明は省略し、相違点についてのみ述べる。
【０１７４】
第１のフレーム、第２のフレーム及び第Ｎのフレームにおける表示装置の駆動方法は、上述の通りである。
【０１７５】
第Ｎ+１のフレームにおいて、グラフィック処理装置７００は、第Ｎ+１のフレームが動画像を表示するフレームであると認識し、動画像における映像データＤＡＴを信号制御部６００に伝送する。
【０１７６】
信号制御部６００は、各フレームの開始地点においてゲート駆動部４００にＳＴＶ信号を伝送し、次いで、ゲート駆動部４００は、信号制御部６００からＣＰＶ信号を受け取って表示パネル３００のスイッチング素子Ｑをターンオンさせる。但し、信号制御部６００は、第２の周波数から第１の周波数へと変更される地点である第Ｎ+１のフレームの開始地点においてはゲート駆動部４００にＳＴＶ信号を伝送しない。このため、仮に、第Ｎ+１のフレームにおいてゲート駆動部４００にＣＰＶ信号が印加されてもＳＴＶ信号が印加されないため、表示パネル３００のスイッチング素子Ｑは遮断状態となる。
【０１７７】
すなわち、第Ｎ+１のフレームにおいてスイッチング素子Ｑはターンオンされないため画素が充電されず、第Ｎのフレームにおいて充電された電圧に維持されて表示パネル３００は静止画像を表示する。
【０１７８】
次いで、第Ｎ+２のフレームは動画像を表示するフレームであって、グラフィック処理装置７００は動画像における映像データＤＡＴを信号制御部６００に伝送し、表示パネル３００は第１の周波数にて動画像を表示する。
【０１７９】
本発明の第１の実施形態に係る表示装置の信号制御部６００は種々の方法により第１の周波数及び第２の周波数を実現することができる。
【０１８０】
例えば、ゲート信号のクロック周波数を変更する方法、垂直ブランク区間の長さを変更する方法及びゲート信号のクロック周波数を変更すると同時に垂直ブランク区間の長さも変更する方法などがあり、これを図５乃至図９に基づいて説明する。
【０１８１】
図５は、本発明の第１の実施形態に係る表示装置において用いられるＤＥ信号及びＶｓｙｎｃ信号を示す図であり、図６は、本発明の第１の実施形態に係る表示装置において表示パネル３００が第１の周波数にて駆動されるときのゲート信号及びＳＴＶ信号を示す図であり、図７乃至図９は、本発明の第１の実施形態に係る表示装置において表示パネル３００が第２の周波数にて駆動されるときのゲート信号及びＳＴＶ信号を示す図である。
【０１８２】
図５に示されるように、一つのフレームは、映像データが伝送される有効区間と、映像データが伝送されない垂直ブランク区間と、からなる。垂直ブランク区間により隣り合う二つのフレームの映像データを区分することができる。
【０１８３】
図６に示されるように、表示パネル３００が第１の周波数にて駆動されるときに、有効区間においては映像データに対応する画素電圧が印加されるようにするゲート信号が供給される。垂直ブランク区間では、ゲートオフ状態が維持されるようにする。
【０１８４】
図７に示されるように、表示パネル３００が第２の周波数にて駆動されるときには、第１の周波数にて駆動されるときよりも１フレームの長さが長くなる。例えば、第１の周波数が６０Ｈｚであり、第２の周波数が２０Ｈｚである場合に、図示の如く、第２の周波数にて駆動されるときには、第１の周波数にて駆動されるときよりも１フレームの長さが３倍に長くなる。このとき、第２の周波数にて駆動されるときの有効区間の長さが第１の周波数にて駆動されるときの有効区間の長さよりも３倍以上長くなるようにして、第２の周波数を実現することができる。有効区間の長さを増やすために、ゲート信号のクロック周波数を約３倍以上に増やしてもよい。第１の周波数にて駆動されるときと、第２の周波数にて駆動されるときとの垂直ブランク区間の長さはほとんど差がない。
【０１８５】
図８においても、表示パネル３００が第２の周波数にて駆動されるときには、第１の周波数にて駆動されるときよりも１フレームの長さが３倍に長くなるという点では、図７の場合と同様である。図７の場合とは異なり、図８においては、第２の周波数にて駆動されるときの有効区間の長さは、第１の周波数にて駆動されるときの有効区間の長さとほとんど等しい。しかしながら、第２の周波数にて駆動されるときの垂直ブランク区間の長さが第１の周波数にて駆動されるときの２フレームに対応する長さに見合う分だけ増えるようにして第２の周波数を実現してもよい。
【０１８６】
図９においても、表示パネル３００が第２の周波数にて駆動されるときには、第１の周波数にて駆動されるときよりも１フレームの長さが３倍に長くなるという点では、図７及び図８の場合と同様である。図７及び図８の場合とは異なり、図９においては、第２の周波数にて駆動されるときの有効区間の長さが第１の周波数にて駆動されるときの有効区間の長さよりも長くなると同時に、垂直ブランク区間の長さもさらに増える。すなわち、第２の周波数にて駆動されるときの有効区間の長さが第１の周波数にて駆動されるときの約２フレームに対応する長さを有するようにし、第２の周波数にて駆動されるときの垂直ブランク区間の長さが第１の周波数にて駆動されるときの１フレームに対応する長さを有するようにして、第２の周波数を実現してもよい。
【０１８７】
このように静止画像を表示するときに、表示パネル３００を駆動する周波数を低くすることにより、消費電力を減少することができる。
【０１８８】
静止画像開始信号が印加されると、信号制御部６００は、表示パネル３００が第２の周波数にて駆動されるように信号を調節する。このとき、表示パネル３００が第１の周波数にて駆動されていて、静止画像開始信号が印加される時点で直ちに第２の周波数に切り替わってもよい。あるいは、静止画像開始信号が印加されてからＳ１フレーム中に、表示パネル３００が第２の周波数よりも高くて第１の周波数よりも低い周波数にて駆動されてもよい。すなわち、静止画像開始信号が印加されてからＳ１フレーム中に、過渡期を経てＳ１フレームの経過後に、第２の周波数に切り替わってもよい。これを実現するために、静止画像開始信号が印加されてからＳ１フレーム中に、垂直ブランク区間の長さが次第に長くなるようにしてもよい。
【０１８９】
静止画像終了信号が印加されると、信号制御部６００は、表示パネル３００が第１の周波数にて駆動されるように信号を調節する。このとき、表示パネル３００が第２の周波数にて駆動されていて、静止画像終了信号が印加される時点で直ちに第１の周波数に切り替わってもよい。あるいは、静止画像終了信号が印加されてからＳ２フレーム中に、表示パネル３００が第２の周波数よりも高くて第１の周波数よりも低い周波数にて駆動されてもよい。すなわち、静止画像終了信号が印加されてからＳ２フレーム中に、過渡期を経てＳ２フレームの経過後に、第１の周波数に切り替わってもよい。これを実現するために、静止画像終了信号が印加されてからＳ２フレーム中に、垂直ブランク区間の長さが次第に短くなるようにしてもよい。
【０１９０】
上述したように、本発明の第１の実施形態に係る表示装置においては、静止画像と動画像を互いに異なる周波数にて駆動するために互いに異なるクロック信号を用いる。以下、図１０及び図１１に基づき、静止画像と動画像において互いに異なるクロック信号を用いることによるＣＰＶ信号の幅について説明する。
【０１９１】
図１０は、本発明の第１の実施形態に係る表示装置において第１の周波数にて駆動されるときのクロック信号及びＣＰＶ信号を示す図であり、図１１は、本発明の第１の実施形態に係る表示装置において第２の周波数にて駆動されるときのクロック信号及びＣＰＶ信号を示す図である。図中、クロック信号はＣＬＫ、ＣＰＶ信号はＣＰＶと示している。
【０１９２】
図１０に示されるように、本発明の第１の実施形態に係る表示装置において第１の周波数にて駆動されるときのＣＰＶ信号の幅ｗ３は、６個のクロック信号に対応する。もし、表示パネル３００が第２の周波数にて駆動されるときにもＣＰＶ信号が６個のクロック信号に対応する幅を有するように設定されるならば、第１の周波数にて駆動されるときと、第２の周波数にて駆動されるときとのクロック信号が異なるため、ＣＰＶ信号の幅も変化してしまう。
【０１９３】
図１１に示されるように、本発明の第１の実施形態に係る表示装置において第２の周波数にて駆動されるときのＣＰＶ信号の幅ｗ４は、３つのクロック信号に対応する幅を有する。このため、第２の周波数にて駆動されるときのクロック速度が第１の周波数にて駆動されるときのクロック速度よりも低くなっても、第１の周波数にて駆動されるときと、第２の周波数にて駆動されるときとのＣＰＶ信号の幅を設定するパラメータを異ならせることにより、ＣＰＶ信号の幅を等しく維持することができる。
【０１９４】
すなわち、信号制御部は、表示パネル３００が第１の周波数にて駆動されるときのＣＰＶ信号の幅ｗ３がｐ回のクロック信号と等しい幅を有するように設定し、第２の周波数にて駆動されるときのＣＰＶ信号の幅ｗ４がｐよりも少ないｑ回のクロック信号と等しい幅を有するように設定する。このとき、ｐ及びｑは、表示パネル３００が第１の周波数にて駆動されるときのＣＰＶ信号の幅ｗ３と、第２の周波数にて駆動されるときのＣＰＶ信号の幅ｗ４とが互いに等しくなるように設定してもよい。
【０１９５】
このため、表示パネル３００が静止画像を表示するときと、動画像を表示するときとの画素の充電率を等しくして視認性の差が発生することを防止することができる。
【０１９６】
静止画像と動画像における視認性の差を防止することのできる他の方法があるが、これについて図１２を参照して説明する。
【０１９７】
図１２は、本発明の第１の実施形態に係る表示装置において映像データを補正する方法を示すフローチャートである。
【０１９８】
信号制御部は、図１２に示されるように、まず、当該フレームにおいて表示パネル３００が第１の周波数にて駆動されるか、あるいは、第２の周波数にて駆動されるかを判定する（Ｓ１１０）。
【０１９９】
このとき、第１の周波数にて駆動されるフレームと、第２の周波数にて駆動されるフレームとにおいて画素の充電率が互いに異なっていて同じ映像データＤＡＴを有しても、実際に表示される映像は互いに異なる。このため、第１の周波数にて駆動されるフレームと、第２の周波数にて駆動されるフレームとにおいて画素の充電率が異なることにより発生する輝度差を補償するために、階調の特性を補正するガンマ補正（ｇａｍｍａ ｃｏｒｒｅｃｔｉｏｎ）を行う（Ｓ１２０）。
【０２００】
次いで、第２の周波数にて駆動されるフレームにおいては、ガンマ補正をした映像データＤＡＴを出力し、第１の周波数にて駆動されるフレームにおいては、ガンマ補正段階を経ることなく映像データＤＡＴを出力する（Ｓ１３０）。
【０２０１】
すなわち、第２の周波数にて駆動されるフレームにおける映像データＤＡＴはガンマ補正を行うことにより、表示パネル３００が静止画像を表示するときと、動画像を表示するときとの画素の充電率が異なっていても、視認性の差が発生することを防止することができる。
【０２０２】
次いで、添付の図１３及び図１４に基づき、本発明の第２の実施形態に係る表示装置について説明する。
【０２０３】
図１３は、本発明の第２の実施形態に係る表示装置のブロック図であり、図１４は、本発明の第２の実施形態に係る表示装置の光源駆動部を示すブロック図である。
【０２０４】
本発明の第２の実施形態に係る表示装置は、第１の実施形態に係る表示装置と同じ部分が相当数あるため、これについての説明は省略し、相違点のみについて後述する。
【０２０５】
本発明の第２の実施形態に係る表示装置は、図１３に示されるように、表示パネル３００に光を照射する光源部９００と、光源部９００を駆動するための信号を制御する光源駆動部９１０と、をさらに備えるとよい。
【０２０６】
光源部９００は、表示パネル３００の内側に光を供給し、供給された光は液晶表示パネル３００の外側に射出されて画面を表示することになる。光源部９００は様々な光源から構成されてもよく、例えば、発光ダイオード（ＬＥＤ：Ｌｉｇｈｔ Ｅｍｉｔｔｉｎｇ ｄｉｏｄｅ）、冷陰極蛍光ランプ（ＣＣＦＬ：ｃｏｌｄ ｃａｔｈｏｄｅ ｆｌｕｏｒｅｓｃｅｎｔ ｌａｍｐ）、外部電極蛍光ランプ（ＥＥＦＬ：ｅｘｔｅｒｎａｌ ｅｌｅｃｔｒｏｄｅ ｆｌｕｏｒｅｓｃｅｎｔ）等が使用可能である。なお、光源部９００は、その配置形式によって測光型と直下型とに分類される。
【０２０７】
光源駆動部９１０は、光源部９００を調光駆動するように制御する。調光駆動は、映像の明暗比（ｃｏｎｔｒａｓｔ ｒａｔｉｏ；ＣＲ）が減少する現象を防止し、消費電力を極力抑えるために、映像の輝度を考慮して光源の光量を制御する技術である。
【０２０８】
光源駆動部９１０は、図１４に示されるように、信号制御部６００から表示パネル３００の駆動周波数を受信する駆動周波数受信部９１２と、駆動周波数により光源部９００の駆動率を決定する光源部駆動率選択部９１４及び光源部９００の駆動率に応じて光源９００を駆動する信号を生成する光源駆動信号生成部９１６と、を備える。
【０２０９】
駆動周波数受信部９１２は、動画像を表示するときに信号制御部６００から第１の周波数を受信し、静止画像を表示するときに信号制御部６００から第２の周波数を受信する。
【０２１０】
駆動率選択部９１４は、駆動周波数受信部９１２から駆動周波数を受信して光源部９００を駆動する比率を選択する。光源部９００の駆動比率は、駆動周波数に応じて異なるように選択される。
【０２１１】
例えば、表示パネル３００の駆動周波数による光源部９００の駆動比率の選択は、ルックアップテーブルを用いて行われるとよい。駆動率選択部９１４は、表１に示すルックアップテーブルを用いて、駆動周波数が第１の周波数であるときに光源部９００の駆動比率を第１の比率として選択し、駆動周波数が第２の周波数であるときに光源部９００の駆動比率を第２の比率として選択する。すなわち、動画像を表示するときには光源部９００は第１の比率にて駆動され、静止画像を表示するときには光源部９００は第２の比率にて駆動される。
【０２１２】
【表１】
0006046413.tif 000002
表示パネル３００を駆動する周波数が変更されて低くなる場合に、各画素を充電する時間が長くなり、充電される電荷量が増加する。これにより、周波数の変更時点を基準として前後の輝度が変化することがある。ノーマリーブラックモード（ｎｏｒｍａｌｌｙ ｂｌａｃｋ ｍｏｄｅ）の表示装置においては、充電される電荷量が増加するほど輝度が増加し、ノーマリーホワイトモード（ｎｏｒｍａｌｌｙ ｗｈｉｔｅ ｍｏｄｅ）の表示装置においては、充電される電荷量が増加するほど輝度が減少することになる。
【０２１３】
このため、第２の周波数が第１の周波数よりも低い値を有するときに、ノーマリーブラックモードの表示装置においては、増加した輝度を補償するために第２の比率を第１の比率よりも低い値に設定する。このように光源部９００の駆動率を低くすることにより消費電力を減らすことができる。
【０２１４】
これとは逆に、ノーマリーホワイトモードの表示装置においては、減少した輝度を補償するために、第２の比率を第１の比率よりも高い値に設定する。
【０２１５】
以上、表示パネル３００の駆動周波数による光源部９００の駆動比率の選択はルックアップテーブルを用いて行われると説明したが、本発明はこれに限定されるものではなく、ｙ＝ｆ（ｘ）形式の関数を用いて駆動比率を選択する方法も用いることができる。
【０２１６】
光源駆動信号生成部９１６は、駆動率選択部９１４が選択した光源部９００の駆動比率を受信し、光源部９００を第１の比率にて駆動できる信号または第２の比率にて駆動できる信号を生成して駆動部９００に伝送する。このとき、光源駆動信号生成部９１６が生成する信号は、ＰＷＭ信号、Ｉ２Ｃなどの通信プロトコールなど種々の信号であってもよい。
【０２１７】
以下、本発明の第２の実施形態に係る表示装置の駆動方法について説明する。
【０２１８】
図１５は、本発明の第２の実施形態に係る表示装置の駆動方法を示すフローチャートであり、図１６乃至図１８は、本発明の第２の実施形態に係る表示装置の駆動方法を手順により各ステップ別に示す信号制御部のブロック図であり、図１９及び図２０は、本発明の第２の実施形態に係る表示装置の駆動方法を手順により各ステップ別に示す光源駆動部のブロック図である。
【０２１９】
まず、図１５に示されるように、グラフィック処理装置７００が入力映像データを信号制御部６００の信号受信部６１０に伝送する（Ｓ１１１０）。
【０２２０】
信号制御部６００は、信号受信部６１０に静止画像開始信号が印加されたか否かを判定し（Ｓ１１２０）、静止画像開始信号が印加されなかったならば、入力映像データを表示パネル３００に出力する（Ｓ１１９０）。
【０２２１】
静止画像開始信号が印加されたならば、図１７に示されるように、信号制御部６００は、入力映像データをフレームメモリ６４０に保存する（Ｓ１１４０）。
【０２２２】
次いで、図１８に示されるように、信号制御部６００は、グラフィック処理装置７００が入力映像データを伝送しないようにグラフィック処理装置７００の主リンクの機能を不活性化させ、信号受信部６１０が入力映像データを受信しないまま、フレームメモリ６４０に保存された保存映像データを出力する（Ｓ１１５０）。なお、グラフィック処理装置７００の補助リンクの機能は不活性化されない。静止画像開始信号が印加されると駆動周波数選択部６５０は第２の周波数を選択し、信号制御部６００は、保存映像データを第２の周波数にて表示パネル３００に出力することになる。このとき、表示パネル３００は静止画像を表示することになり、第２の周波数にて駆動される。
【０２２３】
これと同時に、光源駆動部９１０は、図１９に示されるように、駆動周波数受信部９１２が駆動周波数として第２の周波数ｆ２を受信し、光源部駆動率選択部９１４が光源部駆動率として第２の比率Ｐ２を選択する。
【０２２４】
光源部駆動率は、駆動周波数に応じて異なるように選択される。このとき、表示パネル３００の駆動周波数による光源部９００の駆動比率の選択は、ルックアップテーブルまたはｙ＝ｆ（ｘ）形式の関数を用いて行われるとよい。
【０２２５】
光源駆動信号生成部９１６は、光源部９００を第２の比率Ｐ２にて駆動できる光源駆動信号を生成して光源部９００に出力する。このとき、光源駆動信号は、ＰＷＭ信号、Ｉ２Ｃなどの通信プロトコールなど種々の信号であってもよい。
【０２２６】
次いで、信号制御部６００は、静止画像終了信号の印加有無を判定し（Ｓ１１６０）、静止画像終了信号が印加されなかったならば、信号制御部６００は、引き続けて、保存映像データを第２の周波数にて出力し、光源駆動部９１０は光源部９００を第２の比率にて駆動する（Ｓ１１５０）。
【０２２７】
静止画像終了信号が印加されたならば、図１６に示されるように、信号制御部６００は、グラフィック処理装置７００の主リンクの機能を再び活性化させて、グラフィック処理装置７００が入力映像データを伝送するようにする（Ｓ１１８０）。
【０２２８】
静止画像終了信号が印加されると駆動周波数選択部６５０は第１の周波数を選択することになり、入力映像データを第１の周波数にて表示パネル３００に出力することになる（Ｓ１１９０）。このとき、表示パネル３００は動画像を表示することになり、第１の周波数にて駆動される。
【０２２９】
これと同時に、光源駆動部９１０は、図２０に示されるように、駆動周波数受信部９１２が駆動周波数として第１の周波数ｆ１を受信し、光源部駆動率選択部９１４が光源部駆動率として第１の比率Ｐ１を選択する。
【０２３０】
光源駆動信号生成部９１６は、光源部９００を第１の比率Ｐ１にて駆動できる光源駆動信号を生成して光源部９００に出力する。
【０２３１】
本発明の第２の実施形態に係る表示装置の駆動方法において、動画像を表示するときには、表示パネル３００は第１の周波数にて駆動され、光源部９００は第１の比率にて駆動される。また、静止画像を表示するときには、表示パネル３００は第２の周波数にて駆動され、光源部９００は第２の比率にて駆動される。
【０２３２】
このとき、第２の周波数は第１の周波数よりも低い値を有する。静止画像においては毎フレームごとに同じ映像が表示されることになるので、低い駆動周波数でも構わない。但し、駆動周波数の変更による画素の充電時間が変更され、充電電荷量も変更される。これによる輝度の変化が目に視認されることがある。
【０２３３】
このため、光源部９００が調光駆動されることにより、このような輝度の変化が目に視認されないようにする。具体的に、表示パネル３００が第１の周波数にて駆動されるときに光源部９００は第１の比率にて駆動され、表示パネル３００が第２の周波数にて駆動されるときに光源部９００は第２の比率にて駆動される。
【０２３４】
ノーマリーブラックモードの表示装置においては、第２の比率を第１の比率よりも低い値に設定する。このとき、動画像を表示するときよりも静止画像を表示するときに高くなる輝度を補償できる値として第１の比率及び第２の比率を設定する。
【０２３５】
ノーマリーホワイトモードの表示装置においては、第２の比率を第１の比率よりも高い値に設定する。このとき、動画像を表示するときよりも静止画像を表示するときに低くなる輝度を補償できる値として第１の比率及び第２の比率を設定する。
【０２３６】
静止画像から動画像へと切り替わるときに、表示パネル３００の駆動周波数を変更する時点及び光源部９００の駆動率を変更する時点を垂直ブランク区間（Ｖ−ｂｌａｎｋ ｔｉｍｅ）と一致させることにより、輝度の変化がさらに視認されないようにすることができる。
【０２３７】
次いで、図１３、図１４及び図２１に基づき、本発明の第３の実施形態に係る表示装置について説明する。
【０２３８】
図２１は、本発明の第３の実施形態に係る信号制御部６００のブロック図である。本発明の第３の実施形態に係る表示装置は、信号制御部６００を除いては第２の実施形態と同様であるため、図１３及び図１４を利用しながら説明する。
【０２３９】
本発明の第３の実施形態に係る表示装置は、第２の実施形態に係る表示装置と同じ部分が相当数あるため、これについての説明は省略し、相違点のみについて後述する。第２の実施形態との最大の相違点は、信号制御部６００がフレーム計数部６２０をさらに備えるという点であり、以下、これについてさらに詳しく説明する。
【０２４０】
本発明の第３の実施形態に係る表示装置は、図１３に示されるように、映像を表示する表示パネル３００と、表示パネル３００を駆動するための信号を制御する信号制御部６００と、入力映像データを信号制御部６００に伝送するグラフィック処理装置７００と、表示パネル３００に光を照射する光源部９００と、光源部９００を駆動するための信号を制御する光源駆動部９１０と、を備えるという点では、第２の実施形態に係る表示装置と同様である。
【０２４１】
信号制御部６００は、グラフィック処理装置７００から各種信号を受信する信号受信部６１０と、フレームの数を数えるフレーム計数部６２０と、入力映像データを保存するフレームメモリ６４０と、動画像を表示するときに第１の周波数を選択し、静止画像を表示するときに第２の周波数を選択する駆動周波数選択部６５０と、を備えるとよい。
【０２４２】
信号受信部６１０は、グラフィック処理装置７００から入力映像データ、静止画像開始信号、静止画像終了信号を受信する。図示されていないが、信号受信部６１０は、グラフィック処理装置７００と主リンク及び補助リンクを介して接続されている。信号受信部６１０は、主リンクを介してグラフィック処理装置７００から入力映像データを受信する。また、信号受信部６１０は、補助リンクを介してグラフィック処理装置７００から静止画像開始信号、静止画像終了信号を受信し、表示パネル３００の駆動状態を報知する信号をグラフィック処理装置７００に伝送する。
【０２４３】
フレーム計数部６２０は、静止画像開始信号が印加されてから静止画像終了信号が印加されるまでに入力される静止画像連続フレームの数を数え、静止画像終了信号が印加されてから静止画像開始信号が印加されるまでに入力される動画像連続フレームの数を数える。
【０２４４】
フレーム計数部６２０は、静止画像連続フレームの数がｘ以上であれば、入力映像データをフレームメモリ６４０に伝送する。また、グラフィック処理装置７００が入力映像データを伝送しないようにグラフィック処理装置７００の主リンクの機能を不活性化させる。逆に、静止画像連続フレームの数がｘ未満であれば、入力映像データをフレームメモリ６４０に伝送せず、駆動周波数選択部６５０に伝送して入力映像データが出力されるようにする。なお、入力映像データが伝送され続けるようにグラフィック処理装置７００の主リンクの機能を不活性化させない。
【０２４５】
これは、静止画像連続フレームの数がｘ未満である場合に、動画像から静止画像へと切り替わらないようにするためである。静止画像が短時間進行された後に再び動画像に切り替わる場合に、これにより駆動周波数を変更してしまうと、消費電力を減らす効果は大きくないため、駆動周波数を維持して輝度の変化が発生しないようにするのである。仮に、駆動周波数の変更により光源部９００を調光駆動しても、輝度の変化が一部視認されることがある。このため、静止画像が短時間表示される場合には、表示パネル３００の駆動周波数及び光源部９００の駆動比率に変化を与えることなく維持することにより、輝度の変化が発生しないようにできる。
【０２４６】
フレーム計数部６２０は、動画像連続フレームの数がｙ以上であれば、グラフィック処理装置７００が入力映像データを伝送するようにグラフィック処理装置７００の主リンクの機能を活性化させる。逆に、動画像連続フレームの数がｙ未満であれば、グラフィック処理装置７００の主リンクの機能を不活性化状態にしておく。
【０２４７】
これは、動画像連続フレームの数がｙ未満である場合に、静止画像から動画像へと切り替わらないようにするためである。動画像が短時間進行された後に再び静止画像に切り替わる場合に、これにより駆動周波数を変更してしまうと、消費電力を減らす効果は大きくないため、駆動周波数を維持して輝度の変化が発生しないようにするのである。すなわち、動画像が短時間表示される場合には表示パネル３００の駆動周波数及び光源部９００の駆動比率に変化を与えることなく維持することにより、輝度の変化が発生しないようにできる。
【０２４８】
このとき、ｘとｙの値は、消費電力減少の効果と輝度の変化による視認性の問題を考慮して適切に選択して設定されるとよい。
【０２４９】
フレームメモリ６４０は、フレーム計数部６２０から、静止画像連続フレームの数がｘ以上であるときに、入力映像データを受信して保存する。
【０２５０】
駆動周波数選択部６５０は、表示パネル３００が静止画像を連続してｘフレーム以上表示するときに第２の周波数を選択し、表示パネル３００が動画像を連続してｙフレーム以上表示するときに第１の周波数を選択する。駆動周波数選択部６５０は、静止画像連続フレームの数がｘ以上であれば、フレームメモリ６４０に保存された保存映像データを表示パネル３００に第２の周波数にて出力する。駆動周波数選択部６５０は、動画像連続フレームの数がｙ以上であれば、入力映像データを表示パネル３００に第１の周波数にて出力する。
【０２５１】
これにより、光源駆動部９１０は、静止画像連続フレームの数がｘ以上であれば、信号制御部６００から第２の周波数を受信して光源部９００を第２の比率にて駆動する。動画像連続フレームの数がｙ以上であれば、光源駆動部９１０は、信号制御部６００から第１の周波数を受信して光源部９００を第１の比率にて駆動する。
【０２５２】
以下、本発明の第３の実施形態に係る表示装置の駆動方法について説明する。
【０２５３】
図２２は、本発明の第３の実施形態に係る表示装置の駆動方法を示すフローチャートであり、図２３乃至図２６は、本発明の第３の実施形態に係る表示装置の駆動方法を手順により各ステップ別に示す信号制御部のブロック図である。
【０２５４】
本発明の第３の実施形態に係る表示装置の駆動方法は、第３の実施形態に係る表示装置の駆動方法と同じ部分が相当数あるため、これについての説明は省略し、相違点のみについて後述する。
【０２５５】
まず、図２３に示されるように、グラフィック処理装置７００が入力映像データを信号制御部６００の信号受信部６１０に伝送する（Ｓ２１１０）。
【０２５６】
信号制御部６００は、信号受信部６１０に静止画像開始信号が印加されたか否かを判定し（Ｓ２１２０）、静止画像開始信号が印加されなかったならば、入力映像データを表示パネル３００に出力する（Ｓ２１９０）。このとき、表示パネル３００は、動画像を表示することになり、第２の周波数にて駆動される。
【０２５７】
静止画像開始信号が印加されたならば、フレーム計数部６２０は、静止画像開始信号が印加されてから静止画像終了信号が印加されるまでに入力される静止画像連続フレームの数を数える（Ｓ２１３０）。このとき、フレーム計数部６２０は、静止画像連続フレームの数がｘ以上であるか否かを判定する。静止画像連続フレームの数がｘ未満であれば、信号制御部６００は、静止画像開始信号が印加されなかった場合と同様に、入力映像データを表示パネル３００に出力する（Ｓ２１９０）。このとき、表示パネル３００は、静止画像を表示することになり、第１の周波数にて駆動される。
【０２５８】
静止画像連続フレームの数がｘ以上であれば、図２４に示されるように、信号制御部６００は、入力映像データをフレームメモリ６４０に保存する（Ｓ２１４０）。
【０２５９】
次いで、図２５に示されるように、信号制御部６００は、グラフィック処理装置が入力映像データを伝送しないようにグラフィック処理装置７００の主リンクの機能を不活性させ、フレームメモリ６４０に保存された保存映像データを出力する（Ｓ２１５０）。なお、グラフィック処理装置７００の補助リンクの機能は不活性化されない。静止画像連続フレームの数がｘ以上であれば、駆動周波数選択部６５０は第２の周波数を選択することになり、信号制御部６００は、保存映像データを第２の周波数にて表示パネル３００に出力することになる。このとき、表示パネル３００は静止画像を表示することになり、第２の周波数にて駆動される。
【０２６０】
これと同時に、光源駆動部９１０は、駆動周波数として第２の周波数を受信して光源部９００を第２の比率にて駆動する。
【０２６１】
光源部駆動率は、駆動周波数に応じて異なるように選択されるとよい。このとき、表示パネル３００の駆動周波数による光源部９００の駆動比率の選択は、ルックアップテーブルまたはｙ＝ｆ（ｘ）形式の関数を用いて行われるとよい。
【０２６２】
次いで、信号制御部６００は静止画像終了信号の印加有無を判定し（Ｓ２１６０）、静止画像終了信号が印加されなかったならば、信号制御部６００は引き続けて保存映像データを第２の周波数にて出力し、光源駆動部９１０は光源部９００を第２の比率にて駆動する（Ｓ２１５０）。このとき、表示パネル３００は静止画像を表示することになり、第２の周波数にて駆動される。
【０２６３】
図２６に示されるように、静止画像終了信号が印加されたならば、フレーム計数部６２０は、静止画像終了信号が印加されてから静止画像開始信号が印加されるまでに入力される動画像連続フレームの数を数える（Ｓ２１７０）。このとき、フレーム計数部６２０は、動画像連続フレームの数がｙ以上であるか否かを判定する。動画像連続フレームの数がｙ未満であれば、動画像開始信号が印加されなかった場合と同様に、信号制御部６００は保存映像データを第２の周波数にて出力し、光源駆動部９１０は光源部９００を第２の比率にて駆動する（Ｓ２１５０）。
【０２６４】
静止画像終了信号が印加されたものの、動画像連続フレームの数がｙ未満であれば、信号制御部６００は、グラフィック処理装置７００の主リンクの機能を活性化させ、入力映像データが信号受信部６１０に伝送される。但し、保存映像データを出力して表示パネル３００は静止画像を表示することになり、第２の周波数にて駆動される。
【０２６５】
動画像連続フレームの数がｙ以上であれば、図２３に示されるように、信号制御部６００は、グラフィック処理装置７００が入力映像データを伝送するようにする（Ｓ２１８０）。
【０２６６】
動画像連続フレームの数がｙ以上であれば、駆動周波数選択部６５０は第１の周波数を選択することになり、入力映像データが第１の周波数にて表示パネル３００に出力されることになる（Ｓ２１９０）。このとき、表示パネル３００は動画像を表示することになり、第１の周波数にて駆動される。
【０２６７】
これと同時に、光源駆動部９１０は、駆動周波数にて第１の周波数を受信して、光源部９００を第１の比率にて駆動する。
【０２６８】
本発明の第３の実施形態に係る表示装置の駆動方法において、静止画像がｘフレーム以上連続するときには、表示パネル３００は第２の周波数にて駆動され、光源部９００は第２の比率にて駆動される。また、動画像がｙフレーム以上連続するときには、表示パネル３００は第１の周波数にて駆動され、光源部９１０は第１の比率にて駆動される。
【０２６９】
このとき、第２の周波数は第１の周波数よりも低い値を有する。静止画像においては毎フレームごとに同じ映像を表示することになるので、低い駆動周波数でも構わない。但し、駆動周波数の変更による画素の充電時間が変更され、充電電荷量も変更される。これによる輝度の変化が目に視認されることがある。
【０２７０】
このため、光源部９００が調光駆動されることにより、このような輝度の変化が目に視認されないようにできる。具体的に、表示パネル３００が第２の周波数にて駆動されるときに光源部９００は第２の比率にて駆動され、表示パネル３００が第１の周波数にて駆動されるときに光源部９００は第１の比率にて駆動される。
【０２７１】
また、静止画像がｘフレーム以上連続しないときと、動画像がｙフレーム以上連続しないときには、表示パネル３００の駆動周波数及び光源部９００の駆動率が変化することなく維持することにより、輝度の変化が発生しないようにできる。
【０２７２】
以上、静止画像終了信号が印加されたものの、動画像連続フレームの数がｙ未満である場合に、信号制御部６００は保存映像データを出力して表示パネル３００は静止画像を表示することになり、第２の周波数にて駆動されると説明したが、本発明はこれに限定されるものではない。これとは異なり、静止画像終了信号が印加されたものの、動画像連続フレームの数がｙ未満である場合に、入力映像データが第１の周波数にて出力され、光源部９００が第１の比率にて駆動されてもよい。このとき、表示パネル３００は動画像を表示することになり、第１の周波数にて駆動される。
【０２７３】
次いで、図２７乃至図２９に基づき、本発明の第４の実施形態に係る表示装置の駆動方法について説明する。本発明の第４の実施形態に係る表示装置の構造は、第２の実施形態に係る表示装置の構造と同様であるため、その説明を省略する。
【０２７４】
図２７は、本発明の第４の実施形態に係る表示装置の駆動方法を示すフローチャートであり、図２８及び図２９は、本発明の第４の実施形態に係る表示装置のＳＴＶ信号と光源部駆動率を示す図である。
【０２７５】
まず、グラフィック処理装置７００が入力映像データを信号制御部６００の信号受信部６１０に伝送する（Ｓ３１１０）。
【０２７６】
信号制御部６００は、信号受信部６１０に静止画像開始信号が印加されたか否かを判定し（Ｓ３１２０）、静止画像開始信号が印加されなかったならば、入力映像データを表示パネル３００に出力する（Ｓ３１９０）。
【０２７７】
静止画像開始信号が印加されたならば、信号制御部６００は、入力映像データをフレームメモリ６４０に保存する（Ｓ３１４０）。
【０２７８】
次いで、信号制御部６００は、グラフィック処理装置７００が入力映像データを伝送しないようにグラフィック処理装置の主リンク機能を不活性化させ、フレームメモリ６４０に保存された保存映像データを出力する（Ｓ３１５０）。静止画像開始信号が印加されると駆動周波数選択部６５０は第２の周波数を選択することになり、信号制御部６００は、保存映像データを第２の周波数にて表示パネル３００に出力することになる。このとき、表示パネル３００は静止画像を表示することになり、第２の周波数にて駆動される。
【０２７９】
これと同時に、光源駆動部９１０は、駆動周波数受信部９１２が駆動周波数として第２の周波数ｆ２を受信し、光源部駆動率選択部９１４は光源部駆動率として周期的に変化する比率を選択する。
【０２８０】
以下、光源部駆動率の周期的な変化を図２８に基づいて説明する。
【０２８１】
図２８のＳＴＶ１は表示パネル３００を第１の周波数にて駆動するときのＳＴＶ信号であり、ＳＴＶ２は表示パネル３００を第２の周波数にて駆動するときのＳＴＶ信号である。
【０２８２】
例えば、第１の周波数が６０Ｈｚであり、第２の周波数が１０Ｈｚであるときに、ＳＴＶ１が６回印加される時間中にＳＴＶ２は１回印加される。このため、第１の周波数にて駆動されるときには画面の輝度が第２の周波数にて駆動されるときよりも頻繁に変化することになり、これにより、相対的にフリッカーがあまり視認されない。したがって、本発明の第４の実施形態に係る表示装置においては、第１の周波数にて駆動されるときのＳＴＶ１信号の印加周期と等しい周期にて光源部駆動率を変化させることを特徴とする。
【０２８３】
まず、ＳＴＶ２が印加される時点で、光源部駆動率選択部９１４は光源部駆動率として第１の比率を選択する。
【０２８４】
光源駆動信号生成部９１６は、光源部９００を第１の比率にて駆動できる光源駆動信号を生成して光源部９００に出力する。このとき、光源駆動信号は、ＰＷＭ信号、Ｉ２Ｃなどの通信プロトコールなど種々の信号であってもよい。
【０２８５】
一つのフレームを同じ長さを有する第１乃至第６の区間に分けたときに、第１の区間において光源部９００を第１の比率にて駆動する。
【０２８６】
次いで、ノーマリーブラックモードの表示装置を用いる場合に、第２の区間が始まる時点で、光源部駆動率選択部９１４は光源部駆動率として第１の比率よりも低い第２の比率を選択して光源部９００を第２の比率にて駆動する。
【０２８７】
次いで、第３の区間が始まる時点で、光源部駆動率選択部９１４は光源部駆動率として第２の比率よりも低い第３比率を選択して光源部９００を第３比率にて駆動する。
【０２８８】
次いで、第４の区間が始まる時点で、光源部駆動率選択部９１４は光源部駆動率として第３比率よりも低い第４の比率を選択して光源部９００を第４の比率にて駆動する。
【０２８９】
次いで、第５の区間が始まる時点で、光源部駆動率選択部９１４は光源部駆動率として第４の比率よりも低い第５の比率を選択して光源部９００を第５の比率にて駆動する。
【０２９０】
次いで、第６の区間が始まる時点で、光源部駆動率選択部９１４は光源部駆動率として第５の比率よりも低い第６の比率を選択して光源部９００を第６の比率にて駆動する。
【０２９１】
次いで、次のフレームが始まる時点で、光源部駆動率選択部９１４は光源部駆動率として再び第１の比率を選択して光源部９００を第１の比率にて駆動する。
【０２９２】
すなわち、光源部９００は１フレーム内において第１の比率及び第１の比率から次第に低くなる比率にて駆動される。ＳＴＶ２信号が伝送される地点において光源部９００は第１の比率にて駆動され、次のＳＴＶ２信号が伝送されるまでに光源部９００は第１の比率から次第に低くなる比率にて駆動されるのである。このとき、光源部駆動率の変化周期は、ＳＴＶ１信号の伝送周期と等しく設定するとよい。このため、表示パネル３００は第１の周波数よりも低い第２の周波数にて駆動されても、第１の周波数を駆動するときのように輝度の変化周期を高めてフリッカーが視認されないようにする。
【０２９３】
次いで、静止画像終了信号の印加有無を判定し（Ｓ３１６０）、静止画像終了信号が印加されなかったならば、引き続けて、保存映像データを第２の周波数にて出力し、光源部９００を周期的に変化する比率にて駆動する（Ｓ３１５０）。
【０２９４】
静止画像終了信号が印加されたならば、信号制御部６００は、グラフィック処理装置７００の主リンク機能を再び活性化させ、グラフィック処理装置７００が入力映像データを伝送するようにする（Ｓ３１８０）。
【０２９５】
静止画像終了信号が印加されると、駆動周波数選択部６５０は第１の周波数を選択することになり、信号制御部６００は、入力映像データを第１の周波数にて表示パネル３００に出力することになる（Ｓ３１９０）。このとき、表示パネル３００は動画像を表示することになり、第１の周波数にて駆動される。
【０２９６】
これと同時に、光源駆動部９１０は、図２０に示されるように、駆動周波数受信部９１２が駆動周波数として第１の周波数を受信し、光源部駆動率選択部９１４が光源部駆動率として第１の比率を選択する。
【０２９７】
光源駆動信号生成部９１６は、光源部９００を第１の比率にて駆動できる光源駆動信号を生成して光源部９００に出力する。
【０２９８】
本発明の第４の実施形態に係る表示装置の駆動方法において、動画像を表示するときには、表示パネル３００は第１の周波数にて駆動され、光源部９００は第１の比率にて駆動される。なお、静止画像を表示するときには、表示パネル３００は第２の周波数にて駆動され、光源部９００は周期的に変化する比率にて駆動される。
【０２９９】
以上、ノーマリーブラックモードの表示装置を用いる場合について説明したが、以下、ノーマリーホワイトモードの表示装置を用いる場合の光源部駆動率の周期的な変化を図２９に基づいて説明する。
【０３００】
ＳＴＶ２が印加される時点で、光源部駆動率選択部９１４は光源部駆動率として第１の比率を選択して光源部９００を第１の比率にて駆動する。
【０３０１】
次いで、第２の区間が始まる時点で、光源部駆動率選択部９１４は光源部駆動率を第１の比率よりも高い第２の比率を選択して光源部９００を第２の比率にて駆動する。
【０３０２】
次いで、第３の区間乃至第６の区間において第２の比率よりも次第に高くなる比率に変化させて光源部９００を駆動する。
【０３０３】
すなわち、表示パネル３００を第２の周波数にて駆動するときに、ノーマリーブラックモードの表示装置においては光源部９００を１フレーム内において第１の比率及び第１の比率から次第に低くなる比率にて駆動するのに対し、ノーマリーホワイトモードの表示装置においては光源部９００を１フレーム内において第１の比率及び第１の比率から次第に高くなる比率にて駆動する。
【０３０４】
次いで、図１、図２及び図３０に基づき、本発明の第５の実施形態に係る表示装置について説明する。
【０３０５】
図３０は、本発明の第５の実施形態に係る表示装置のある画素に対する等価回路図である。
【０３０６】
本発明の第５の実施形態に係る表示装置は、図１に示されるように、表示パネル３００と、信号制御部６００と、グラフィック処理装置７００と、を備え、信号制御部６００は、図２に示されるように、信号受信部６１０と、フレームメモリ６４０と、駆動周波数選択部６５０と、を備える。
【０３０７】
本発明の第５の実施形態に係る表示装置の表示パネル３００、信号制御部６００、グラフィック処理装置７００は第１の実施形態と同様であるため、具体的な説明は省略する。
【０３０８】
本発明の第５の実施形態に係る表示装置の表示パネル３００は、図３０に示されるように、ゲート線Ｇとデータ線Ｄとが交差して画素を定義する。配置図及び断面図を省略して図示しないが、ゲート線Ｇ及びデータ線Ｄは基板の上に形成され、互いに分離するように他の層に形成されるとよい。図１に示されるように、ゲート線Ｇ及びデータ線Ｄは複数から構成されてもよく、図３０には１画素しか示していないため、ゲート線Ｇ及びデータ線Ｄもそれぞれ一本ずつしか示されていない。
【０３０９】
ゲート線Ｇ及びデータ線Ｄと接続されるように第１のスイッチング素子Ｑ１が形成される。第１のスイッチング素子Ｑ１は薄膜トランジスタなどの三端子素子であり、制御端子はゲート線Ｇと接続されており、入力端子はデータ線Ｄと接続されており、出力端子は液晶キャパシタＣｌｃ及び維持キャパシタＣｓｔと接続されている。
【０３１０】
基板の上には維持電極線ＳＬ及び維持電極制御線ＳＣＬがさらなる形成されるとよく、維持電極線ＳＬと維持キャパシタＣｓｔは第２のスイッチング素子Ｑ２及び第３のスイッチング素子Ｑ３によって接続される。すなわち、維持電極線ＳＬと維持キャパシタＣｓｔとの間に第２のスイッチング素子Ｑ２及び第３のスイッチング素子Ｑ３が形成される。
【０３１１】
第２のスイッチング素子Ｑ２は薄膜トランジスタなどの三端子素子であり、制御端子はゲート線Ｇと接続されており、入力端子は維持電極線ＳＬと接続されており、出力端子は維持キャパシタＣｓｔと接続されている。
【０３１２】
第３のスイッチング素子Ｑ３は薄膜トランジスタなどの三端子素子であり、制御端子は維持電極制御線ＳＣＬと接続されており、入力端子は維持電極線ＳＬと接続されており、出力端子は維持キャパシタＣｓｔと接続されている。
【０３１３】
以下、本発明の第５の実施形態に係る表示装置の表示パネル３００が静止画像を表示するときの電圧関係について説明する。
【０３１４】
図３１は、本発明の第５の実施形態に係る表示装置の表示パネル３００が静止画像を表示するときの各制御信号を示す図である。
【０３１５】
本発明の第５の実施形態に係る表示装置において動画像を表示するときには第１の周波数にて駆動し、静止画像を表示するときには第１の周波数よりも低い第２の周波数にて駆動する。このとき、第２の周波数を実現するために、第１の周波数にて駆動するときよりも垂直ブランク区間の長さを増やしてもよい。
【０３１６】
例えば、６０Ｈｚにて駆動していて１０Ｈｚに変更するために、隣り合う二つのフレームの有効区間の間の垂直ブランク区間の長さを６０Ｈｚにて駆動するときの１フレームの長さの５倍に変更してもよい。このとき、データイネーブル信号ＤＥを印加する速度は、６０Ｈｚにて駆動するときと、１０Ｈｚにて駆動するときにいずれも等しい。
【０３１７】
第２の周波数にて駆動して静止画像を表示するときに、第Ｎのフレームの有効区間において、まず、ゲート線Ｇにゲートオン電圧が印加されると、第１のスイッチング素子Ｑ１及び第２のスイッチング素子Ｑ２がオン状態になる。次いで、データ線Ｄにデータ電圧が印加されると、第１のスイッチング素子Ｑ１を介して液晶キャパシタＣｌｃ及び維持キャパシタＣｓｔが充電される。
【０３１８】
このとき、維持キャパシタＣｓｔの一方側の端子は第１のスイッチング素子Ｑ１と接続されていてデータ電圧を示し、他方側の端子は第２のスイッチング素子Ｑ２と接続されていて維持電極線ＳＬに印加される共通電圧ＶＳＬを示す。データイネーブル信号が印加される第Ｎのフレーム中には共通電圧ＶＳＬが一定の値を有する。
【０３１９】
各画素にデータ電圧が印加された後に、ゲート線Ｇにはゲートオフ電圧が印加され、第１のスイッチング素子Ｑ１及び第２のスイッチング素子Ｑ２がオフ状態になる。次いで、垂直ブランク区間が始まり、維持電極制御線ＳＣＬにはゲートオン電圧が印加される。これにより、維持電極制御線ＳＣＬに接続された第３のスイッチング素子Ｑ３がオン状態になり、維持電極線ＳＬから共通電圧が印加される。
【０３２０】
垂直ブランク区間において、共通電圧ＶＳＬは有効区間における共通電圧ＶＳＬよりも高い電圧を有する。有効区間における共通電圧ＶＳＬが第１の電圧であるときに、垂直ブランク区間が始まった後に共通電圧ＶＳＬは第１の電圧よりも高い第２の電圧に変化する。次いで、垂直ブランク区間内において所定の時間が経過した後の共通電圧ＶＳＬは第２の電圧よりも高い第３の電圧を有する。維持電極線ＳＬに第２の電圧が印加される時間及び第３の電圧が印加される時間は等しく設定されてもよい。
【０３２１】
共通電圧ＶＳＬが第１の電圧から第２の電圧へと変化する時点及び第２の電圧から第３の電圧へと変化する時点は、維持キャパシタＣｓｔの一方側の端子の電圧が放電されて本来に印加されたデータ電圧と所定の電圧以上違いが出ることになる時点と一致するように設定してもよい。
【０３２２】
次いで、垂直ブランク区間が終了し、維持電極制御線ＳＣＬにはゲートオフ電圧が印加される。これにより、維持電極制御線ＳＣＬに接続された第３のスイッチング素子Ｑ３がオン状態になる。
【０３２３】
これと同時に、第Ｎ＋１のフレームが始まり、ゲート線Ｇにゲートオン電圧が印加される。これにより、第１のスイッチング素子Ｑ１及び第２のスイッチング素子Ｑ２がオン状態になる。次いで、データ線Ｄにデータ電圧が印加され、液晶キャパシタＣｌｃ及び維持キャパシタＣｓｔが充電される。このとき、静止画像を表示しているため、第Ｎのフレームと第Ｎ＋１のフレームにおけるデータ電圧は等しい。
【０３２４】
第Ｎ＋１のフレームが始まると、維持電極線ＳＬに印加される共通電圧ＶＳＬは再び第１の電圧に下降し、第２のスイッチング素子を介して維持キャパシタＣｓｔの他方側の端子に伝達される。
【０３２５】
上述したように、維持電極線ＳＬに印加される共通電圧ＶＳＬは、表示パネル３００が第２の周波数にて駆動されるときに変化する値を有する。すなわち、共通電圧ＶＳＬが第Ｎのフレームの有効区間と第Ｎ＋１のフレームの有効区間においては第１の電圧を有し、第Ｎのフレームと第Ｎ＋１のフレームの有効区間の間の垂直ブランク区間においては第１の電圧よりも高い第２の電圧を有し、次いで、第２の電圧よりも高い第３の電圧を有することになる。例えば、第１の電圧は７．５Ｖに、第２の電圧は７．６Ｖに、第３の電圧は７．７Ｖに設定されるとよい。
【０３２６】
このような共通電圧ＶＳＬの変化に伴い、第２のスイッチング素子Ｑ２及び第３のスイッチング素子Ｑ３と接続された維持キャパシタＣｓｔの他方側の端子の電圧が変化する。なお、第１のスイッチング素子Ｑ１と接続された維持キャパシタＣｓｔの一方側の端子の電圧も一緒に変化する。
【０３２７】
例えば、第Ｎのフレームの有効区間において第１のスイッチング素子Ｑ１と接続された維持キャパシタＣｓｔの一方側の端子の電圧がデータ電圧の印加によって１０．５Ｖとなった場合に、第１のスイッチング素子Ｑ１がオフ状態になり、所定の時間が経過すれば電圧が下降することになる。
【０３２８】
垂直ブランク区間において維持キャパシタＣｓｔの一方側の端子の電圧が約１０．４Ｖに下降し、第３のスイッチング素子Ｑ３がオン状態になると、維持キャパシタＣｓｔの他方側の端子に７．６Ｖの共通電圧ＶＳＬが印加される。このとき、維持キャパシタＣｓｔの他方側の端子の電圧上昇によって維持キャパシタＣｓｔの一方側の端子の電圧も上昇して再び１０．５Ｖとなる。
【０３２９】
所定の時間が経過し、維持キャパシタＣｓｔの一方側の端子の電圧が約１０．４Ｖに下降するときに、維持キャパシタＣｓｔの他方側の端子にさらに電圧の高い７．７Ｖの共通電圧ＶＳＬが印加される。このとき、維持キャパシタＣｓｔの他方側の端子の電圧上昇に伴い、維持キャパシタＣｓｔの一方側の端子の電圧も上昇して再び１０．５Ｖとなる。
【０３３０】
次いで、第Ｎ＋１のフレームが始まると、維持キャパシタＣｓｔの一方側の端子には第Ｎのフレームと同じデータ電圧が印加される。
【０３３１】
このように共通電圧ＶＳＬの変化により、垂直ブランク区間において維持キャパシタＣｓｔの一方側の端子の電圧が変化し、これにより、輝度が変化することになる。
【０３３２】
動画像を表示するときには、静止画像を表示するときよりも相対的に速い周波数にて表示パネル３００を駆動することにより、輝度の変化の周期が短くてフリッカーが視認されない。静止画像を表示するときには、動画像を表示するときよりも相対的に遅い周波数にて表示パネル３００を駆動するので、フリッカーが視認されやすい。本発明の第５の実施形態においては、共通電圧ＶＳＬの変化により輝度の変化を誘導することにより、動画像を表示するときのようにフリッカーが視認されにくくすることができる。
【０３３３】
本発明の第５の実施形態において動画像を表示するときには、輝度の変化が誘導されなくてもフリッカーが視認されにくいいので、維持電極線ＳＬに一定の値を有する共通電圧ＶＳＬが供給される。
【０３３４】
以上、静止画像を表示するときに、すなわち、表示パネル３００が第２の周波数にて駆動されるときに、共通電圧ＶＳＬが第１の電圧から第２の電圧へと、第２の電圧から第３の電圧へと変化し、再び第１の電圧に戻ると説明した。しかしながら、本発明はこれに限定されるものではなく、共通電圧ＶＳＬの変化を種々の方法により実現することが可能である。
【０３３５】
例えば、共通電圧ＶＳＬが、図３２に示されるように変化してもよい。
【０３３６】
図３２は、本発明の第５の実施形態に係る表示装置の表示パネル３００が静止画像を表示するときの各制御信号を示す図である。
【０３３７】
表示パネル３００が第２の周波数にて駆動されるときに、共通電圧ＶＳＬは第Ｎのフレームの有効区間及び第Ｎ＋１のフレームの有効区間において第１の電圧を有し、第Ｎのフレームと第Ｎ＋１のフレームの有効区間の間の垂直ブランク区間において第１の電圧よりも高い第２の電圧を有していてもよい。すなわち、共通電圧ＶＳＬが第１の電圧から第２の電圧まで上昇した後、第２の電圧に維持されていて次のフレームが始まると、再び第１の電圧に下降してもよい。
【０３３８】
また、図３２に示す場合とは異なり、表示パネル３００が第２の周波数にて駆動されるときに、共通電圧ＶＳＬは第Ｎのフレームの有効区間及び第Ｎ＋１のフレームの有効区間において第１の電圧を有し、第Ｎのフレームと第Ｎ＋１のフレームの有効区間の間の垂直ブランク区間において第１の電圧よりも高い第２の電圧を有し、次いで、同じ垂直ブランク区間内において所定の時間が経過した後の共通電圧ＶＳＬは第２の電圧よりも高い第３の電圧を有していてもよい。次いで、同じ垂直ブランク区間内において所定の時間が経過した後の共通電圧ＶＳＬは第３の電圧よりも高い第４の電圧を有していてもよい。すなわち、共通電圧ＶＳＬが、第１の電圧から第２の電圧へと、第２の電圧から第３の電圧へと、第３の電圧から第４の電圧へと変化し、次のフレームが始まると再び第１の電圧に下降してもよい。
【０３３９】
垂直ブランク区間が相対的に短い場合には、電圧変化の回数を少なく設定してもフリッカーが視認されにくい。これとは逆に、垂直ブランク区間が相対的に長い場合にはフリッカーがさらに視認されやすくなるので、電圧変化の回数をさらに多く設定することが好ましい。
【０３４０】
次いで、図３３に基づき、本発明の第６の実施形態に係る表示装置について説明する。
【０３４１】
図３３は、本発明の第６の実施形態に係る表示装置のある画素に対する等価回路図である。
【０３４２】
本発明の第６の実施形態に係る表示装置は、第５の実施形態に係る表示装置と同じ部分が相当数あるため、これについての説明及び図面は省略し、相違点のみについて後述する。
【０３４３】
本発明の第６の実施形態に係る表示装置は、第５の実施形態とは異なり、第２のスイッチング素子Ｑ２と、第３のスイッチング素子Ｑ３と、維持電極制御線ＳＣＬと、が形成されない。なお、維持電極線ＳＬに印加される共通電圧の形が第５の実施形態とは異なる。
【０３４４】
本発明の第６の実施形態に係る表示装置の表示パネル３００は、図３３に示されるように、ゲート線Ｇとデータ線Ｄとが交差して画素を定義する。ゲート線Ｇ及びデータ線Ｄは複数から構成されて画素が複数から構成されてもよく、図３３には１画素しか示されていない。
【０３４５】
ゲート線Ｇ及びデータ線Ｄと接続されるように第１のスイッチング素子Ｑ１が形成される。第１のスイッチング素子Ｑ１は薄膜トランジスタなどの三端子素子であり、制御端子はゲート線Ｇと接続されており、入力端子はデータ線Ｄと接続されており、出力端子は液晶キャパシタＣｌｃ及び維持キャパシタＣｓｔと接続されている。
【０３４６】
また、維持電極線ＳＬがさらに形成されていてもよく、維持電極線ＳＬと維持キャパシタＣｓｔが接続される。
【０３４７】
すなわち、上述した実施形態においては、維持電極線ＳＬと維持キャパシタＣｓｔがスイッチング素子によって接続されるのに対し、本実施形態においては、維持電極線ＳＬと維持キャパシタＣｓｔが直接的に接続される。
【０３４８】
以下、本発明の第６の実施形態に係る表示装置の表示パネル３００が静止画像を表示するときの電圧関係について説明する。
【０３４９】
図３４は、本発明の第６の実施形態に係る表示装置の表示パネル３００が静止画像を表示するときの各制御信号を示す図である。
【０３５０】
本発明の第６の実施形態に係る表示装置において、動画像を表示するときには、表示パネル３００が第１の周波数にて駆動され、静止画像を表示するときには、表示パネル３００が第１の周波数よりも低い第２の周波数にて駆動される。このとき、第２の周波数を実現するために、表示パネル３００が第１の周波数にて駆動される場合よりも垂直ブランク区間が長くなればよい。
【０３５１】
第２の周波数にて駆動して静止画像を表示するときに、第Ｎのフレームの有効区間において、まずゲート線Ｇにゲートオン電圧が印加されると、第１のスイッチング素子Ｑ１がオン状態になる。次いで、データ線Ｄにデータ電圧が印加されると、第１のスイッチング素子Ｑ１を介して液晶キャパシタＣｌｃ及び維持キャパシタＣｓｔが充電される。
【０３５２】
このとき、維持キャパシタＣｓｔの一方側の端子は第１のスイッチング素子Ｑ１と接続されていてデータ電圧を示し、他方側の端子は維持電極線ＳＬと接続されていて維持電極線ＳＬに印加される共通電圧ＶＳＬを示す。データイネーブル信号が印加される第Ｎのフレーム中には共通電圧ＶＳＬが一定の値を有する。
【０３５３】
各画素にデータ電圧が印加された後にゲート線Ｇにはゲートオフ電圧が印加され、第１のスイッチング素子Ｑ１がオフ状態になる。次いで、垂直ブランク区間が始まり、共通電圧ＶＳＬは変化する。垂直ブランク区間において、共通電圧ＶＳＬは、有効区間における共通電圧ＶＳＬよりも高い電圧と、有効区間における共通電圧ＶＳＬと等しい電圧にてスイングする。
【０３５４】
有効区間における共通電圧ＶＳＬが第１の電圧であるときに、垂直ブランク区間が始まると、共通電圧ＶＳＬは第１の電圧よりも高い第２の電圧に変化し再び第１の電圧に下降してもよい。次いで、垂直ブランク区間内において所定の時間が経過した後の共通電圧ＶＳＬは再び第２の電圧に変化し再び第１の電圧に下降してもよい。垂直ブランク区間内において共通電圧ＶＳＬが第２の電圧を有する時間は、第１の電圧を有する時間よりも短く設定されるとよい。
【０３５５】
共通電圧ＶＳＬが第１の電圧から第２の電圧へと変化する時点は、維持キャパシタＣｓｔの一方側の端子の電圧が放電されて本来に印加されたデータ電圧と所定の電圧以上に違いが出ることになる時点と一致するように設定するとよい。
【０３５６】
図３４には、隣り合う二つのフレームの有効区間の間の垂直ブランク区間において共通電圧ＶＳＬが第１の電圧から第２の電圧へと変化し、再び第１の電圧に戻る回数が２回であることが示されている。しかしながら、本発明はこれに限定されるものではなく、その回数を種々に設定してもよい。例えば、二つのフレームの有効区間の間の垂直ブランク区間において共通電圧ＶＳＬが第１の電圧から第２の電圧へと変化し、再び第１の電圧に戻る回数を１回だけに設定してもよく、３回、４回などに設定してもよい。
【０３５７】
垂直ブランク区間が相対的に短い場合には、電圧変化の回数を少なく設定してもフリッカーが視認されにくい。逆に、垂直ブランク区間が相対的に長い場合にはフリッカーがより視認されやすくなるので、電圧変化の回数をさらに多く設定することが好ましい。
【０３５８】
次いで、垂直ブランク区間が終了し、維持電極線ＳＬに印加される共通電圧ＶＳＬは第１の電圧に一定に維持される。
【０３５９】
これと同時に、第Ｎ＋１のフレームが始まり、ゲート線Ｇにゲートオン電圧が印加される。これにより、第１のスイッチング素子Ｑ１がオン状態になる。次いで、データ線Ｄにデータ電圧が印加され、液晶キャパシタＣｌｃ及び維持キャパシタＣｓｔが充電される。このとき、静止画像を表示しているため、第Ｎのフレームと第Ｎ＋１のフレームにおけるデータ電圧は等しい。
【０３６０】
上述したように、維持電極線ＳＬに印加される共通電圧ＶＳＬは、表示パネル３００が第２の周波数にて駆動されるときに変化する値を有する。すなわち、共通電圧ＶＳＬが第Ｎのフレームの有効区間と第Ｎ＋１のフレームの有効区間においては第１の電圧を有し、第Ｎのフレームと第Ｎ＋１のフレームの有効区間の間の垂直ブランク区間においては第１の電圧及び第１の電圧よりも高い第２の電圧にてスイングする。例えば、第１の電圧は７．５Ｖに、第２の電圧は７．６Ｖに設定されるとよい。
【０３６１】
このような共通電圧ＶＳＬの変化に伴い、維持電極線ＳＬに接続された維持キャパシタＣｓｔの他方側の端子の電圧が変化する。なお、第１のスイッチング素子Ｑ１と接続された維持キャパシタＣｓｔの一方側の端子の電圧も一緒に変化することになる。
【０３６２】
例えば、第Ｎのフレームの有効区間において第１のスイッチング素子Ｑ１と接続された維持キャパシタＣｓｔの一方側の端子の電圧がデータ電圧の印加によって１０．５Ｖになった場合に、第１のスイッチング素子Ｑ１がオフ状態になって所定の時間が経過すると、約１０．４Ｖに下降する。
【０３６３】
維持電極線ＳＬに入力される共通電圧ＶＳＬが７．５Ｖから７．６Ｖへと上昇すると、維持キャパシタＣｓｔの他方側の端子の電圧が７．６Ｖに上昇する。このとき、維持キャパシタＣｓｔの他方側の端子の電圧上昇によって、維持キャパシタＣｓｔの一方側の端子の電圧も上昇して再び１０．５Ｖになる。次いで、共通電圧ＶＳＬが再び７．５Ｖに下降する。
【０３６４】
所定の時間が経過し、維持キャパシタＣｓｔの一方側の端子の電圧が約１０．４Ｖに下降するときに、維持キャパシタＣｓｔの他方側の端子に印加される共通電圧ＶＳＬが７．５Ｖから７．６Ｖへと上昇するとよい。このとき、維持キャパシタＣｓｔの他方側の端子の電圧上昇によって、維持キャパシタＣｓｔの一方側の端子の電圧も上昇して再び１０．５Ｖになる。
【０３６５】
次いで、第Ｎ＋１のフレームが始まると、維持キャパシタＣｓｔの一方側の端子には第Ｎのフレームと同じデータ電圧が印加される。
【０３６６】
このように共通電圧ＶＳＬの変化により垂直ブランク区間において維持キャパシタＣｓｔの一方側の端子の電圧が変化し、これにより、輝度の変化の周期が短くなってフリッカーが視認されないようにできる。
【０３６７】
以上、共通電圧ＶＳＬが瞬時に第１の電圧から第２の電圧へと上昇していて、所定の時間が経過した後に再び瞬時に第２の電圧から第１の電圧へと降下すると説明した。しかしながら、本発明はこれに限定されるものではなく、共通電圧ＶＳＬの変化形態を種々の方法により実現することが可能である。
【０３６８】
例えば、共通電圧ＶＳＬが、図３５に示されるように変化してもよい。
【０３６９】
図３５は、本発明の第６の実施形態に係る表示装置の表示パネル３００が静止画像を表示するときの各制御信号を示す図である。
【０３７０】
表示パネル３００が第２の周波数にて駆動されるときに、共通電圧ＶＳＬは第Ｎのフレームの有効区間と第Ｎ＋１のフレームの有効区間において第１の電圧を有し、第Ｎのフレームと第Ｎ＋１のフレームの有効区間の間の垂直ブランク区間において第１の電圧及び第１の電圧よりも高い第２の電圧にてスイングするとよい。このとき、共通電圧ＶＳＬが第１の電圧から第２の電圧へと変化するときに、第１の電圧と第２の電圧との間で徐々に変化してもよい。なお、共通電圧ＶＳＬが第２の電圧から第１の電圧へと変化するときにも、第１の電圧と第２の電圧との間で徐々に変化してもよい。
【０３７１】
図３５に示される場合とは異なり、共通電圧ＶＳＬが第１の電圧から第２の電圧へと変化するときには、第１の電圧と第２の電圧との間で徐々に変化し、第２の電圧から第１の電圧へと変化するときには瞬時に下降してもよい。なお、共通電圧ＶＳＬが第１の電圧から第２の電圧へと変化するときには瞬時に上昇し、第２の電圧から第１の電圧へと変化するときには第１の電圧と第２の電圧との間で徐々に変化してもよい。
【０３７２】
以下、本発明の第５及び第６の実施形態に係る表示装置において減少する消費電力について説明する。
【０３７３】
図３６は、駆動周波数による消費電力を示すグラフである。具体的に、６０Ｈｚにて駆動するときの消費電力を１００％としたとき、５種類の互いに異なる画面を６０Ｈｚ乃至１０Ｈｚにて駆動する場合に、６０Ｈｚにて駆動するときの消費電力に対する相対的な消費電力の比率を示すものである。また、５種類の互いに異なる画面の消費電力の比率に対する平均値も一緒に示す。５種類の互いに異なる画面のうち、第１の画面は白色を示す画面であり、第２の画面は黒色を示す画面であり、第３の画面及び第４の画面は全体領域を複数の領域に分けて互いに異なる色を示す画面であり、第５の画面はウィンドウズ（登録商標）のデスクトップ画面である。
【０３７４】
表示パネル３００を１０Ｈｚにて駆動する場合の消費電力は約６０％を示しているので、６０Ｈｚにて駆動する場合よりも約４０％の消費電力が減少することになる。このため、静止画像を表示するときの駆動周波数が動画像を表示するときよりも一定比率以下に設定されることにより、フレームメモリの追加による消費電力の増加分以上に消費電力を減少させることができる。
【０３７５】
動画像を表示するときには、駆動周波数が低くなると動きが不自然になるなどの問題点があるが、静止画像を表示するときには同じ映像データを有するフレームを繰り返し再生することになるので、駆動周波数が低くなってもこのような問題点はない。
【０３７６】
但し、表示パネル３００が低い駆動周波数にて駆動されると、フリッカー（ｆｌｉｃｋｅｒ）が視認されやすくなる。以下、本発明の第５の実施形態に係る場合に、フリッカーの視認の有無を従来の技術と比べて説明する。
【０３７７】
図３７は、従来の表示パネルを６０Ｈｚにて駆動する場合における維持キャパシタの一方側の端子の電圧を示すグラフであり、図３８は、従来の表示パネルを１０Ｈｚにて駆動する場合における維持キャパシタの一方側の端子の電圧を示すグラフであり、図３９は、本発明の第５の実施形態に係る表示パネル３００を１０Ｈｚにて駆動する場合における維持キャパシタの一方側の端子の電圧を示すグラフである。
【０３７８】
図３７と図３８とを対比すると、表示パネルを１０Ｈｚにて駆動すると、６０Ｈｚにて駆動するときよりも維持キャパシタの一方側の端子の電圧変化の周期が長くなり、その結果、輝度の変化の周期も長くなってしまう。このため、駆動周波数が低くなるほどフリッカーがより視認されやすくなるのである。図３９を参照すると、本発明の第５の実施形態においては、低い駆動周波数にて静止画像を表示するときに共通電圧を変化させて、維持キャパシタの一方側の端子の電圧変化の周期が６０Ｈｚにて駆動するときのレベルまで短縮される。これにより、輝度の変化の周期が短くなってフリッカーが視認されにくくなる。
【０３７９】
次いで、図１及び図４０に基づき、本発明の第７の実施形態に係る表示装置について説明する。
【０３８０】
図４０は、本発明の第７の実施形態に係る表示装置の信号制御部６００を示すブロック図である。
【０３８１】
本発明の第７の実施形態に係る表示装置は、図１に示されるように、表示パネル３００と、信号制御部６００と、グラフィック処理装置７００と、を備える。
【０３８２】
本発明の第７の実施形態に係る表示装置の表示パネル３００及びグラフィック処理装置７００は第１の実施形態と同様であるため、具体的な説明は省略する。
【０３８３】
本発明の第７の実施形態に係る表示装置の信号制御部６００は、図４０に示されるように、入力映像データを保存するフレームメモリ６４０と、フレームメモリに保存された保存映像データの代表値を算出する演算部６２５と、代表値を保存するラインメモリ６３０及び代表値を補正し、補助映像データを生成するキックバック補正部６６０を備えているとよい。
【０３８４】
フレームメモリ６４０は、グラフィック処理装置７００から受信した入力映像データを保存する。フレームメモリ６４０は、表示パネル３００が動画像を表示するときには用いられず、静止画像を表示するときに用いられる。静止画像開始信号が印加されるとフレームメモリ６４０に入力映像データを保存し、フレームメモリ６４０に保存された保存映像データを用いて表示パネル３００を駆動する。
【０３８５】
演算部６２０は、フレームメモリ６４０から保存映像データを受信して保存映像データを代表する代表値を算出する。このとき、代表値は、それぞれのデータ線Ｄ１−Ｄｍ別に演算が行われる。
【０３８６】
フレームメモリ６４０には、１フレームを表示し得る保存映像データが保存されており、このような保存映像データは各データ線Ｄ１−Ｄｍ別に分離されている。例えば、最初のデータ線Ｄ１に印加されるデータ電圧に対応する保存映像データ、第２のデータ線Ｄ２に印加されるデータ電圧に対応する保存映像データ、第３のデータ線Ｄ３に印加されるデータ電圧に対応する保存映像データ、第ｍのデータ線Ｄｍに印加されるデータ電圧に対応する保存映像データ等に分離されている。
【０３８７】
演算部６２０は、各データ線Ｄ１−Ｄｍ別に保存映像データを受信してこれらを代表する代表値を算出する。例えば、演算部６２０は、最初のデータ線Ｄ１に印加されるデータ電圧に対応する保存映像データを代表する第１の代表値を算出し、第２のデータ線Ｄ２に印加されるデータ電圧に対応する保存映像データを代表する第２の代表値を算出する。このような方式により、演算部６２０は、第３の代表値、第ｍの代表値などを算出する。
【０３８８】
保存映像データを代表する代表値は種々の方式により算出することができる。
【０３８９】
以下、表２に基づき、代表値を算出する方法について説明する。
【０３９０】
表２は、最初のデータ線Ｄ１に印加されるデータ電圧に対応する保存映像データの階調値を示す表である。一本のデータ線Ｄ１−Ｄｍに印加されたデータ電圧に対応する保存映像データの個数はゲート線Ｇ１−Ｇｎの個数と同数である。
【０３９１】
【表２】
0006046413.tif 000003
第１の方式は、保存映像データの平均階調値を代表値とする方式である。第１の方式では、数式１により代表値が算出される。
【０３９２】
【数１】
0006046413.tif 000004
【０３９３】
（Ｇｉｒ：データ線ｄｉ（ｉは１からｍまでの整数）における代表値、ｎ：保存映像データの個数、ｄｉｐ：データ線ｄｉ（ｉは整数）とゲート線Ｇｐ（ｐは１からｎまでの整数）とに接続する画素における階調値）
表２において、ｎを７として平均階調値を計算すると、００１１００１０となる。
【０３９４】
第２の方式は、保存映像データの上位ｔビットの平均階調値を代表値とする方式である。このとき、ｔ値は種々に設定することができ、ｔが小さい値であるほど演算がより簡単になる。例えば、保存映像データが８ビットであるときに、ｔ値は３または４に設定することができる。
【０３９５】
ｔ値を４として保存映像データの上位４ビットを取り出すと、次の通りである。ｄ１１、ｄ１２、ｄ１３、ｄ１４、ｄ１５、ｄ１６、…、ｄ１ｎは、００１０、００１０、００１１、００１１、００１１、００１０、００１１の上位４ビット階調値を有する。これらの平均値は００１１になり、代表値は００１１００００になる。
【０３９６】
第３の方式は、保存映像データの最大階調値及び最小階調値の中間値を代表値とする方式である。表２において、保存映像データの最大階調値は００１１１１０１であり、最小階調値は００１００１１０である。これらの中間値は、００１１００１０である。
【０３９７】
３種類の方式により演算された代表値はそれぞれ００１１００１０、００１１００００、００１１００１０であり、十進数にて表示すると、５０、４８、５０である。このため、どの方式によっても、代表値は大差ない。第１の方式は、最適な代表値を算出するのに適しているが、演算が複雑である。なお、第２及び第３の方式は、演算は簡単であるが、第１の方式よりも相対的に代表値の適性が低くなる場合がある。
【０３９８】
ラインメモリ６３０は、演算部６２０から代表値を取得して保存する。このとき、代表値はデータ線毎に存在するため、ラインメモリ６３０は、データ線毎に代表値を保存する。ラインメモリ６３０は、第１の代表値、第２の代表値、第３の代表値、第ｍの代表値などをそれぞれ保存する。
【０３９９】
キックバック補正部６６０は、ラインメモリ６３０に保存された代表値をキックバック電圧に応じて補正して補助映像データを生成する。
【０４００】
ゲート線Ｇ１−Ｇｎ及びデータ線Ｄ１−Ｄｍに接続された各画素には、データ線Ｄ１−Ｄｍから印加されたデータ電圧が充電される。この充電された電圧を画素電圧という。画素電圧はスイッチング素子Ｑがオフ状態になることに伴い、寄生容量などによって減少される。このときに減少された電圧をキックバック電圧（ｋｉｃｋ−ｂａｃｋ ｖｏｌｔａｇｅ）という。
【０４０１】
キックバック補正部６６０は、スイッチング素子Ｑがオフ状態であるときに一本のデータ線Ｄ１−Ｄｍに接続された画素列に充電された画素電圧に対応する階調値に最も近い値を有する補助映像データを生成する。すなわち、補助映像データは、キックバック電圧によって低くなった画素電圧に対応する階調値に近い値を有するようにする。
【０４０２】
キックバック電圧は、当該画素に印加されるデータ電圧の大きさに応じて異なる。すなわち、データ電圧に対応する映像データの階調値に応じてキックバック電圧が異なり、これは、図４１から確認することができる。
【０４０３】
図４１は、映像データの階調値によるキックバック電圧を示すグラフである。
【０４０４】
図４１を参照すると、映像データの階調値が大きいほどキックバック電圧が大きくなることが分かる。例えば、０階調におけるキックバック電圧は約１．０Ｖであり、２５６階調におけるキックバック電圧は約１．２Ｖである。図４１に示される映像データの階調値によるキックバック電圧は単なる例示に過ぎず、表示装置の仕様に応じて変化する値である。
【０４０５】
映像データの階調値に応じてキックバック電圧の差はあるものの、その差が大きくないことが分かる。このため、キックバック電圧による補正のための電圧は同じ電圧に設定されてもよい。例えば、映像データの大きさによらずに、キックバック電圧を１Ｖと想定することができる。
【０４０６】
但し、映像データの大きさによらずにキックバック電圧を１Ｖと想定しても、各映像データの階調値に応じて１Ｖに対応する階調値は異なってくる。これは、電圧と透過率とが非線形的な関係を有しているためである。このため、各表示装置の電圧−透過率曲線（Ｖ−Ｔ ｃｕｒｖｅ）から映像データの階調値に応じてキックバック電圧に対応する階調値、すなわち、キックバック補償階調値を求めることができる。
【０４０７】
以下、図４２に基づいてキックバック補償階調値を求める方法について説明する。
【０４０８】
図４２は、映像データの階調値によるキックバック補償階調値を示すグラフである。点線は計算によって求められた計算値を示し、実線は計算値を用いて作成された近似値を示す。
【０４０９】
まず、計算によってキックバック補償階調値を求める方法は、次の通りである。
【０４１０】
任意の第１の映像データに対応する第１のデータ電圧からキックバック電圧を差し引いた第２のデータ電圧に対応する第２の映像データを求める。第１の映像データの階調値から第２の映像データの階調値を差し引いた値がキックバック補償階調値になる。このような方法により、全ての第１の映像データに対するキックバック補償階調値を求めることができ、これをルックアップテーブルにて表示することができる。なお、計算によって求められたキックバック補償階調値をグラフにて示すと、図４２の点線のように描かれる。
【０４１１】
計算によって作成されたルックアップテーブルを用いて保存映像データの代表値によるキックバック補償階調値を求めることができる。
【０４１２】
次いで、計算値を用いて近似によってキックバック補償階調値を求める方法は、次の通りである。
【０４１３】
図４２を参照すると、映像データの階調値が約１７５階調であるときにキックバック補償階調値の大きさが最も大きい。また、映像データの階調値が約１７５階調よりも小さな範囲では、階調値が小さいほどキックバック補償階調値の絶対値の大きさが小さくなり、映像データが約１７５よりも大きい範囲では、階調値が大きいほどキックバック補償階調値の絶対値の大きさが小さくなる。このとき、映像データの階調値によるキックバック補償階調値の変化は非線形性を示しているが、線状に近い形態を有している。
【０４１４】
このため、線形補間法（Ｌｉｎｅａｒ Ｉｎｔｅｒｐｏｌａｔｉｏｎ）を用いて映像データの階調値によるキックバック補償階調値の関数を作成することができる。このとき、最小階調ｘ１におけるキックバック補償階調値ｙ１、最大階調ｘ３におけるキックバック補償階調値ｘ３、キックバック補償階調値の大きさが最大であるときｙ２の階調値ｙ２を用いて数式２のような関数を生成することができる。
【０４１５】
【数２】
0006046413.tif 000005
【０４１６】
数式２の関数において、ｘに保存映像データの代表値を入力したときのｙ値がキックバック補償階調値になる。
【０４１７】
以下、キックバック補償階調値を用いて補助映像データを生成する方法について説明する。
【０４１８】
数式３のように保存映像データの代表値から代表値によるキックバック補償階調値を差し引いた値が補助映像データの階調値である。
【０４１９】
[数３]
Ｇａ＝Ｇｒ−ｄＧ（Ｇａ：補助映像データの階調値、Ｇｒ：代表値、ｄＧ：代表値によるキックバック補償階調値）
キックバック補正部６６０は、数式３を用いて生成した補助映像データをデータ駆動部５００に伝送し、データ駆動部５００は、静止画像を表示するときに垂直ブランク区間において補助映像データに対応する補助電圧をデータ線Ｄ１−Ｄｍに印加する。
【０４２０】
信号制御部６００がデータ駆動部５００に伝送する映像データを各場合によってまとめると、次の通りである。
【０４２１】
信号制御部６００は、動画像を表示するときに、グラフィック処理装置７００から受信した入力映像データをデータ駆動部５００に伝送して表示パネル３００を第１の周波数にて駆動する。そして、信号制御部６００は、静止画像を表示するときに、フレームメモリ６４０に保存された保存映像データをデータ駆動部５００に伝送して表示パネル３００を第２の周波数にて駆動する。また、静止画像を表示するときに、垂直ブランク区間において保存映像データの代表値を補正した補助映像データをデータ駆動部５００に伝送して補助電圧がデータ線に印加されるようにする。
【０４２２】
次いで、図４３及び図４４に基づき、本発明の第７の実施形態に係る表示装置において静止画像を表示するときに、垂直ブランク区間において補助映像データを入力することにより、漏れ電流が減ることになる原理について説明する。
【０４２３】
図４３は、本発明の第７の実施形態に係る表示装置のある画素に対する等価回路図であり、図４４は、本発明の第７の実施形態に係る表示装置において垂直ブランク区間中に所定の電圧を印加するときの漏れ電流を示す図である。
【０４２４】
図４３に示されるように、本発明の第７の実施形態に係る表示装置のある画素はゲート線Ｇｎ及びデータ線Ｄｍと接続されるようにスイッチング素子Ｑが形成されている。スイッチング素子Ｑは薄膜トランジスタなどの三端子素子であり、制御端子はゲート線Ｇｎと接続されており、入力端子はデータ線Ｄｍと接続されており、出力端子は液晶キャパシタＣｌｃと接続されている。
【０４２５】
ゲート線Ｇｎにゲートオン電圧が印加され、データ線Ｄｍにデータ電圧が印加されると、液晶キャパシタＣｌｃが充電される。次いで、ゲート線Ｇｎにゲートオフ電圧が印加されてスイッチング素子Ｑがオフ状態になると、スイッチング素子Ｑの入力端子と出力端子との間には理想的には電流が流れないようにする必要がある。しかしながら、薄膜トランジスタなどのスイッチング素子Ｑの特性から、スイッチング素子Ｑの出力端子から入力端子へと流れる漏れ電流Ｉｄｐが発生してしまう。漏れ電流Ｉｄｐは、スイッチング素子Ｑの入力端子の電圧Ｖｄと出力端子の電圧Ｖｐとの間の差に比例する。
【０４２６】
一般に、隣り合う二つのフレーム間の垂直ブランク区間においてはデータ電圧が入力されないため、スイッチング素子Ｑの入力端子と出力端子との間の電圧差は大きい。二つのフレーム間の垂直ブランク区間を長くして表示パネル３００が低い周波数にて駆動されるときには、スイッチング素子Ｑの入力端子と出力端子との間の電圧差による漏れ電流がさらに大きくなる。
【０４２７】
本発明においては、静止画像を表示するときに表示パネル３００を低い周波数にて駆動し、垂直ブランク区間においてデータ線に所定の電圧を印加することにより、このような漏れ電流を減らすことができる。
【０４２８】
図４４に示されるように、垂直ブランク区間においてデータ線にブラック階調に対応するデータ電圧を印加するときと、ホワイト階調に対応するデータ電圧を印加するときに漏れ電流が変化することが分かる。
【０４２９】
このとき、データ線に印加する所定の電圧は、各画素の液晶キャパシタＣｌｃに充電された画素電圧、すなわち、スイッチング素子Ｑの出力端子の電圧に最も近い値に設定することが好ましい。
【０４３０】
本発明は、各データ線別に保存映像データを代表する値を算出し、キックバック電圧に応じて補正して補助映像データを生成した後に、これに対応する補助電圧をデータ線に印加する。このため、スイッチング素子Ｑの入力端子と出力端子との間の電圧を最小化させることができ、これにより、漏れ電流も極力抑えることができる。
【０４３１】
次いで、本発明の第８の実施形態に係る表示装置について説明する。
【０４３２】
本発明の第８の実施形態に係る表示装置は第１の実施形態に係る表示装置の構造と同様であるため、具体的な説明は省略する。
【０４３３】
以下、図４５及び図４６に基づき、本発明の第８の実施形態に係る表示装置のゲート線に印加されるゲート電圧について説明する。
【０４３４】
図４５は、本発明の第８の実施形態に係る表示装置のある画素を示す図であり、図４６は、本発明の第８の実施形態に係る表示装置のスイッチング素子においてゲート電圧による入力端子と出力端子との間の電流を示すグラフである。
【０４３５】
本発明の第８の実施形態に係る表示装置のある画素は、ゲート線Ｇｎ及びデータ線Ｄｍに接続されているスイッチング素子Ｑと、スイッチング素子Ｑに接続されている液晶キャパシタＣｌｃ及び維持キャパシタＣｓｔを備える。このとき、スイッチング素子Ｑの制御端子はゲート線Ｇｎと接続され、入力端子はデータ線Ｄｍと接続され、出力端子は液晶キャパシタＣｌｃ及び維持キャパシタＣｓｔと接続される。
【０４３６】
ゲート線Ｇｎにはゲートオン電圧とゲートオフ電圧が交互に印加されてスイッチング素子Ｑのオン／オフ状態が調節される。
【０４３７】
ゲート線Ｇｎにゲートオン電圧が印加されるとスイッチング素子Ｑはオン状態になり、入力端子と出力端子との間に電流Ｉｄｓが流れることになる。このため、データ線Ｄｍを介して供給されるデータ電圧Ｖｄによって画素電極が画素電圧Ｖｐにより充電される。
【０４３８】
ゲート線Ｇｎにゲートオフ電圧が印加されるとスイッチング素子Ｑはオフ状態になり、入力端子と出力端子との間の電流Ｉｄｓはほとんど流れなくなる。しかしながら、データ電圧Ｖｄと画素電圧Ｖｐとの間には電圧差が形成されていて、入力端子と出力端子との間には漏れ電流が発生することになる。このため、ゲートオフ電圧としては、このような漏れ電流を極力抑えられる電圧値を選択することが好ましい。
【０４３９】
図４６に示されるように、画素電極に充電された画素電圧Ｖｐが正極性であるときと負極性であるときの漏れ電流には差が発生することを確認することができる。
【０４４０】
図４６は、画素電圧Ｖｐが負極性であるときと正極性であるときに、スイッチング素子Ｑの制御端子に入力されるゲート電圧Ｖｇによる入力端子と出力端子との間の電流Ｉｄｓを示している。画素電圧Ｖｐが負極性であるときに、画素電圧Ｖｐは０Ｖ、データ電圧Ｖｄは１０Ｖに、正極性であるときに画素電圧Ｖｐは２０Ｖ、データ電圧Ｖｄは１０Ｖにしたときの結果を示している。
【０４４１】
画素電圧Ｖｐが負極性であるときに、スイッチング素子Ｑの入力端子と出力端子との間の電流Ｉｄｓを極力抑えられる電圧をゲートオフ電圧として選択すると、正極性の画素と負極性の画素との間に漏れ電流の差が発生して互いに異なる輝度特性が現れる。また、仮に、画素電圧Ｖｐが正極性であるときに、スイッチング素子Ｑの入力端子と出力端子との間の電流Ｉｄｓを極力抑えられる電圧をゲートオフ電圧として選択しても、正極性の画素と負極性の画素との間に漏れ電流の差が発生して互いに異なる輝度特性が現れる。
【０４４２】
このため、本発明の第８の実施形態に係る表示装置においては、画素電極に充電された画素電圧Ｖｐが正極性であるときと負極性であるときの漏れ電流が等しいときに、スイッチング素子Ｑの制御端子の電圧をゲートオフ電圧として選択されるとよい。例えば、図４６に示す実験結果に基づいて、ゲートオフ電圧を−４Ｖに設定することができる。もちろん、このような数値は実験条件を変更することにより種々に変化可能な値である。
【０４４３】
以下、図４７及び図４８に基づき、本発明の第８の実施形態に係る表示装置においてフリッカーが改善される特徴について説明する。
【０４４４】
図４７は、従来の技術による表示装置において静止画像を表示するときの輝度特性を示す図であり、図４８は、本発明の第８の実施形態に係る表示装置において静止画像を表示するときの輝度特性を示す図である。具体的に、図４７は、画素電圧Ｖｐが負極性であるときにスイッチング素子Ｑの入力端子と出力端子との間の電流Ｉｄｓを極力抑えられる電圧をゲートオフ電圧として選択した場合の輝度特性を示す図であり、図４８は、画素電圧Ｖｐが正極性であるときと負極性であるときの漏れ電流が等しいときに、スイッチング素子Ｑの制御端子の電圧をゲートオフ電圧として選択した場合の輝度特性を示す図である。
【０４４５】
静止画像を表示するときには、毎フレームごとに同じ映像を表示するため、理論的に各画素の輝度は変化しない。
【０４４６】
図４７に示されるように、画素電圧Ｖｐが負極性であるときに、スイッチング素子Ｑの入力端子と出力端子との間の電流Ｉｄｓを極力抑えられる電圧をゲートオフ電圧として選択した従来の技術による表示装置においては、静止画像を表示するときに画面全体の輝度が毎フレームごとに増加及び減少を繰り返しており、これにより、フリッカーが視認される恐れがある。
【０４４７】
このようにフリッカーが発生する原因は、正極性の画素電圧が印加される画素と負極性の画素電圧が印加される画素の輝度を合わせた値が一定ではないためである。正極性の画素電圧が印加される画素の輝度と負極性の画素電圧が印加される画素の輝度は互いに異なる。正極性の画素電圧が印加される画素と負極性の画素電圧が印加される画素の輝度を合わせた値が毎フレームごとに変化することにより、画面全体の輝度も毎フレームごとに変化するのである。
【０４４８】
図４８に示されるように、画素電圧Ｖｐが正極性であるときと負極性であるときの漏れ電流が等しいときに、スイッチング素子Ｑの制御端子の電圧をゲートオフ電圧として選択した本発明の第８の実施形態に係る表示装置においては、静止画像を表示するときに画面全体の輝度が一定に維持される。
【０４４９】
本発明の第８の実施形態に係る表示装置においては、静止画像を表示する間に正極性の画素電圧が印加される画素において発生する漏れ電流と、負極性の画素電圧が印加される画素において発生する漏れ電流の大きさを等しくすることにより、正極性の画素電圧が印加される画素の輝度と負極性の画素電圧が印加される画素の輝度を合わせた値が一定に維持される。このため、画面全体の輝度が一定に維持され、フリッカーが視認されないようにできる。
【０４５０】
以上、ゲートオフ電圧を、正極性の画素と負極性の画素における漏れ電流が等しいときに、スイッチング素子の制御端子の電圧として設定することにより、フリッカーを低減できる特徴について説明した。
【０４５１】
また、ゲートオフ電圧を、正極性の画素と負極性の画素における漏れ電流が等しいときに、スイッチング素子の制御端子の電圧を基準として一定範囲内に設定することにより、同一または類似の効果を有することができる。これについて、以下、表３及び図４９に基づいてその範囲について説明する。
【０４５２】
表３は、本発明の第８の実施形態に係る表示装置において静止画像を表示するときにゲートオフ電圧の値によるフリッカー値を示す表であり、図４９は、表３をグラフにて示す図である。すなわち、図４９は、本発明の第８の実施形態に係る表示装置において静止画像を表示するときにゲートオフ電圧の値によるフリッカー値を示すグラフである。
【０４５３】
表３及び図４９に示されるように、本発明の第８の実施形態に係る表示装置において垂直ブランク区間の長さを変更したりクロック周波数の大きさを変更したりして周波数を低くし、低い周波数にて静止画像を表示するときにゲートオフ電圧に応じてフリッカー値が変化する。
【０４５４】
図４６に示す実験例において、正極性の画素と負極性の画素における漏れ電流が等しいときに、スイッチング素子Ｑの制御端子の電圧が−４Ｖであることが明らかになった。このため、−４Ｖを基準として、これよりも低い電圧とこれよりも高い電圧をゲートオフ電圧として設定してフリッカーを測定し、その結果を表３及び図４９に示す。
【０４５５】
【表３】
0006046413.tif 000006
表３及び図４９を参照すると、ゲートオフ電圧が−４Ｖであるときのフリッカー値は、ゲートオフ電圧が−４Ｖを基準として約−２０％または約＋２０％ほど変化したときのフリッカー値とほとんど同じ値を有することを確認することができる。ゲートオフ電圧が−４Ｖを基準として約＋２０％以上の値を有する場合にも、フリッカー値は、ゲートオフ電圧が−４Ｖであるときとほとんど同じまたはこれよりも低い値を有することがある。しかしながら、ゲートオフ電圧が高過ぎた値に設定される場合に、漏れ電流が大きくなることにより、脱色（色抜け）などの問題が発生することがある。
【０４５６】
このため、ゲートオフ電圧は、正極性の画素と負極性の画素における漏れ電流が等しいときに、スイッチング素子Ｑの制御端子の電圧を基準として約−２０％乃至＋２０％の範囲を有するように設定することが好ましい。また、ゲートオフ電圧は、正極性の画素と負極性の画素における漏れ電流が等しいときに、スイッチング素子Ｑの制御端子の電圧を基準として約−１０％乃至＋１０％の範囲を有するように設定することがさらに好ましい。
【０４５７】
これに基づいて、ゲートオフ電圧の範囲を数式にて表現すると、次の通りである。
【０４５８】
本発明の第８の実施形態に係る表示装置において表示パネル３００が第２の周波数にて駆動されるときのゲート線Ｇｎに印加されるゲートオフ電圧は、数式４の範囲を有するように設定することができる。
【０４５９】
[数４]
Ｖａ−０．２┃Ｖａ┃≦Ｖｏｆｆ２≦Ｖａ+０．２┃Ｖａ┃
（Ｖｏｆｆ２：前記表示パネル３００が前記第２の周波数にて駆動されるときの前記ゲートオフ電圧、Ｖａ：前記画素電極に正極性の画素電圧が印加されたときに前記スイッチング素子の前記入力端子と前記出力端子との間に流れる漏れ電流と、前記画素電極に負極性の画素電圧が印加されたときに前記スイッチング素子の前記入力端子と前記出力端子との間に流れる漏れ電流とが等しいときの前記スイッチング素子の前記制御端子の電圧）
さらに好ましくは、本発明の第８の実施形態に係る表示装置において表示パネル３００が第２の周波数にて駆動されるときのゲート線Ｇｎに印加されるゲートオフ電圧は、数式５の範囲を有するように設定することができる。
【０４６０】
[数５]
Ｖａ−０．１┃Ｖａ┃≦Ｖｏｆｆ２≦Ｖａ+０．１┃Ｖａ┃
（Ｖｏｆｆ２：前記表示パネル３００が前記第２の周波数にて駆動されるときの前記ゲートオフ電圧、Ｖａ：前記画素電極に正極性の画素電圧が印加されたときに前記スイッチング素子の前記入力端子と前記出力端子との間に流れる漏れ電流と、前記画素電極に負極性の画素電圧が印加されたときに前記スイッチング素子の前記入力端子と前記出力端子との間に流れる漏れ電流とが等しいときの前記スイッチング素子の前記制御端子の電圧）
本発明の第８の実施形態に係る表示装置は静止画像を表示するときに低い周波数にて駆動されるので、フリッカーが発生することを防止するために、数式４または数式５によりゲートオフ電圧を設定する。
【０４６１】
本発明の第８の実施形態に係る表示装置において動画像を表示するときには、表示パネル３００が高い周波数にて駆動されてフリッカーが視認されにくくなるので、ゲートオフ電圧をさらに低い値に設定することができる。すなわち、表示パネル３００が第１の周波数にて駆動されるときのゲートオフ電圧は、表示パネル３００が第２の周波数にて駆動されるときのゲートオフ電圧よりも低く設定することができる。
【０４６２】
これとは異なり、表示パネル３００が第１の周波数にて駆動されるときのゲートオフ電圧は、表示パネル３００が第２の周波数にて駆動されるときのゲートオフ電圧と等しくなるように設定することもできる。このとき、ゲートオフ電圧の範囲を数式により表現すると、次の通りである。
【０４６３】
[数６]
Ｖａ−０．２┃Ｖａ┃≦Ｖｏｆｆ１≦Ｖａ+０．２┃Ｖａ┃
（Ｖｏｆｆ１：前記表示パネル３００が前記第１の周波数にて駆動されるときの前記ゲートオフ電圧、Ｖａ：前記画素電極に正極性の画素電圧が印加されたときに前記スイッチング素子の前記入力端子と前記出力端子との間に流れる漏れ電流と、前記画素電極に負極性の画素電圧が印加されたときに前記スイッチング素子の前記入力端子と前記出力端子との間に流れる漏れ電流とが等しいときの前記スイッチング素子の前記制御端子の電圧）
さらに好ましくは、本発明の第８の実施形態に係る表示装置において表示パネル３００が第１の周波数にて駆動されるときのゲート線Ｇｎに印加されるゲートオフ電圧は、数式７の範囲を有するように設定することができる。
【０４６４】
[数７]
Ｖａ−０．１┃Ｖａ┃≦Ｖｏｆｆ１≦Ｖａ+０．１┃Ｖａ┃
（Ｖｏｆｆ１：前記表示パネル３００が前記第１の周波数にて駆動されるときの前記ゲートオフ電圧、Ｖａ：前記画素電極に正極性の画素電圧が印加されたときに前記スイッチング素子の前記入力端子と前記出力端子との間に流れる漏れ電流と、前記画素電極に負極性の画素電圧が印加されたときに前記スイッチング素子の前記入力端子と前記出力端子との間に流れる漏れ電流とが等しいときの前記スイッチング素子の前記制御端子の電圧）
以下、図５０及び図５１に基づき、フリッカー値を計算する方法についてさらに説明する。
【０４６５】
図５０は、表示パネル３００から射出される光の強さを経時的に示すグラフであり、図５１は、フリッカーの測定に用いられる装備を示す図である。
【０４６６】
フリッカーとは、画面からの光の強さが一定でなく、時間により周期的に変化することにより光のチラツキが感じられる現象のことをいう。表示装置が６０Ｈｚにて駆動されるときに１秒当たりに６０回のチラツキが発生することになる。
【０４６７】
図５０を参照すると、時間により光の強さが変化する様子が分かる。光の強さはＶｍａｘとＶｍｉｎとの間の値をもって周期的に変化する様相を示す。
【０４６８】
フリッカー値を計算する第１の方法は、直流成分に対する交流成分の比率により計算する方法である。Ｖｍａｘ及びＶｍｉｎの値を測定した後、下記式８を用いてフリッカー値を計算することができる。
【０４６９】
【数８】
0006046413.tif 000007
【０４７０】
（Ｆ：フリッカー値）
光の強さにより目の敏感度は変化し、その変化量は非線形性を有するので、フリッカー値を計算するときにこれを考慮する必要がある。第１の方法は、これを考慮していないため、正確なフリッカー値が導出され難いが、計算方法は簡単である。
【０４７１】
以下、光の強さによる目の敏感度の変化を考慮して、さらに正確なフリッカー値の導出のために用いられる第２の方法について説明する。
【０４７２】
図５１に示されるように、表示装置１０における光の射出面に輝度を測定できる輝度計２０を配設する。輝度計２０は、例えば、ＢＭ−７等が使用可能である。なお、輝度計２０から信号を受け取って処理する動的信号分析器３０（ＤＳＡ（Ｄｙｎａｍｉｃ ｓｉｇｎａｌ ａｎａｌｙｚｅｒ））を輝度計２０に接続する。
【０４７３】
まず、表示装置１０から光が射出できる状態に調節し、輝度計２０を用いて表示装置１０から射出される光の輝度を測定する。輝度計２０が測定した光の輝度はアナログ値を有し、この値は動的信号分析器３０に伝送される。動的信号分析器３０は、アナログ値から０Ｈｚ成分と３０Ｈｚ成分の実効値（ｒｍｓ ｖａｌｕｅ；ｒｏｏｔ ｍｅａｎ ｓｑｕａｒｅ ｖａｌｕｅ）をデシベル（ｄＢ）単位で読み出す。
【０４７４】
動的信号分析器３０から０Ｈｚ成分及び３０Ｈｚ成分の実効値を読み出した後、下記式９を用いてフリッカー値を計算することができる。数６は、光の強さに対する瞳の大きさの変化量、瞳の大きさの変化量に対する瞳を通過した光の強さ及び瞳を通過した光の強さに対する目の反応性などを考慮して作成された。
【０４７５】
【数９】
0006046413.tif 000008
【０４７６】
０Ｈｚ：光の輝度の０Ｈｚ成分の実効値、
３０Ｈｚ：光の輝度の３０Ｈｚ成分の実効値、
ａ：輝度計２０に入射する光の輝度と出力される電圧との比例定数、
ｂ：動的信号分析器３０に入力される電圧をデシベル（ｄＢ）により計算するための基準電圧）
第２の方法の計算方法はさらに複雑であるが、フリッカー値の変化に作用する様々な変数が考慮されて計算されているので、第２の方法によって、さらに正確な値が計算されうる。
【０４７７】
本発明の表３及び図４９に示すフリッカー値は、第２の方法を用いて計算した値である。
【０４７８】
以上、本発明の好適な実施形態について詳細に説明したが、本発明の権利範囲はこれに限定されるものではなく、特許請求の範囲において定義している本発明の基本概念を用いた当業者の種々の変形及び改良形態もまた本発明の権利範囲に属するものである。
【符号の説明】
【０４７９】
１０：表示装置
２０：輝度計
３０：動的信号分析器
３００：表示パネル
４００：ゲート駆動部
５００：データ駆動部
６００：信号制御部
６１０：信号受信部
６２０：フレーム計数部
６３０：ラインメモリ
６４０：フレームメモリ
６５０：駆動周波数選択部
６６０：キックバック補正部
７００：グラフィック処理装置
８００：階調電圧生成部
９００：光源部
９１０：光源駆動部
９１２：駆動周波数受信部
９１４：光源部駆動率選択部
９１６：光源駆動信号生成部
【図１】
0006046413.tif 000009
【図２】
0006046413.tif 000010
【図３】
0006046413.tif 000011
【図４】
0006046413.tif 000012
【図５】
0006046413.tif 000013
【図６】
0006046413.tif 000014
【図７】
0006046413.tif 000015
【図８】
0006046413.tif 000016
【図９】
0006046413.tif 000017
【図１０】
0006046413.tif 000018
【図１１】
0006046413.tif 000019
【図１２】
0006046413.tif 000020
【図１３】
0006046413.tif 000021
【図１４】
0006046413.tif 000022
【図１５】
0006046413.tif 000023
【図１６】
0006046413.tif 000024
【図１７】
0006046413.tif 000025
【図１８】
0006046413.tif 000026
【図１９】
0006046413.tif 000027
【図２０】
0006046413.tif 000028
【図２１】
0006046413.tif 000029
【図２２】
0006046413.tif 000030
【図２３】
0006046413.tif 000031
【図２４】
0006046413.tif 000032
【図２５】
0006046413.tif 000033
【図２６】
0006046413.tif 000034
【図２７】
0006046413.tif 000035
【図２８】
0006046413.tif 000036
【図２９】
0006046413.tif 000037
【図３０】
0006046413.tif 000038
【図３１】
0006046413.tif 000039
【図３２】
0006046413.tif 000040
【図３３】
0006046413.tif 000041
【図３４】
0006046413.tif 000042
【図３５】
0006046413.tif 000043
【図３６】
0006046413.tif 000044
【図３７】
0006046413.tif 000045
【図３８】
0006046413.tif 000046
【図３９】
0006046413.tif 000047
【図４０】
0006046413.tif 000048
【図４１】
0006046413.tif 000049
【図４２】
0006046413.tif 000050
【図４３】
0006046413.tif 000051
【図４４】
0006046413.tif 000052
【図４５】
0006046413.tif 000053
【図４６】
0006046413.tif 000054
【図４７】
0006046413.tif 000055
【図４８】
0006046413.tif 000056
【図４９】
0006046413.tif 000057
【図５０】
0006046413.tif 000058
【図５１】
0006046413.tif 000059